(57)【要約】      （修正有）【課題】メッセージ内容がバージョンアップしたような場合に、そのメッセージ内容のみその国の言語に翻訳せずに、世界共通語である英語のままそのメッセージを表示するように、その国の言語と英語との少なくとも二種類の言語でのメッセージを混在して表示可能にするように設定した眼鏡レンズ研削加工装置のメッセージ表示装置及びメッセージ送受信方法を提供する。【解決手段】加工に必要な各種メッセージを記憶しており、予め記憶されたメッセージのうちで抜け落ちているものがある場合に、装置が使用される国の言語に翻訳せずに世界共通言語のままメッセージを表示するように言語処理する演算処理手段（第１の演算制御回路３１）を有する。このメッセージは、端末装置１０２及びインターネット１０３，端末装置１００を介して第１の演算制御回路３１に送信して、設定データメモリ３３のメッセージ内容を更新できる。【選択図】  図６７
2004164179.tif 000002
【特許請求の範囲】
【請求項１】
眼鏡フレームの玉型形状データに基づき眼鏡レンズを研削加工するために必要なメニューメッセージやエラーメッセージ等の各種メッセージを記憶するメッセージ記憶部と、該メッセージ記憶部に記憶されたメッセージを表示するためのメッセージ表示手段を備えた眼鏡レンズ研削加工装置のメッセージ表示装置において、
予め記憶されたメッセージのうちで抜け落ちているものがあるかどうか判断し、抜け落ちているメッセージがある場合に、装置が使用される国の言語に翻訳せずに世界共通言語のままメッセージを表示するように言語処理する演算処理手段を有することを特徴とする眼鏡レンズ研削加工装置のメッセージ表示装置。
【請求項２】
眼鏡フレームの玉型形状データに基づき眼鏡レンズを研削加工するために必要なメニューメッセージやエラーメッセージ等の各種メッセージを記憶するメッセージ記憶部と、該メッセージ記憶部に記憶されたメッセージを表示するためのメッセージ表示手段を備え、通信回線手段を介してメッセージの更新データを送受信する眼鏡レンズ研削加工装置のメッセージ送受信方法において、
予め記憶されたメッセージのうちで抜け落ちているものがあるかどうか判断する段階と、抜け落ちているメッセージがある場合に、装置が使用される国の言語に翻訳せずに世界共通言語のままメッセージを表示するように言語処理する段階とを有することを特徴とする眼鏡レンズ研削加工装置のメッセージ送受信方法。
【発明の詳細な説明】
【０００１】
【発明の属する技術分野】
本発明は、眼鏡フレームの玉型形状データに基づき眼鏡レンズを研削加工するために必要なメニューメッセージやエラーメッセージ等の各種メッセージを表示し、通信回線手段を介してメッセージの更新データを送受信するための眼鏡レンズ研削加工装置のメッセージ表示装置及びメッセージ送受信方法に関する。
【０００２】
【従来の技術】
一般的に、眼鏡レンズ加工装置には、メニューメッセージやエラーメッセージ等の各種メッセージを各国の言語にして表示する表示装置が設けられているものがある（例えば、特許文献１参照）。
【０００３】
【特許文献１】
特開２００２−１０３１９１号公報
【０００４】
【発明が解決しようとする課題】
このような従来の眼鏡レンズ加工装置では、メッセージの内容をバージョンアップ（更新）したようなときに、エラーメッセージやメニューメッセージ等のメッセージ表示する場合、装置が使用されている国の言語に翻訳されて表示されている。
【０００５】
しかしながら、メッセージの内容が多いときにはメッセージ内容の翻訳が抜け落ちていることがあった。或いは全てのメッセージ内容を翻訳して表示させると、時間が掛かり、迅速にユーザーの問題に対応することができないことがあった。
【０００６】
そこで、本発明では、メッセージ内容の翻訳が抜け落ちている箇所がないかどうか判断し、抜け落ちていた場合に、装置が使用される国の言語に翻訳せずに、世界共通言語である、例えば英語あるいはエスペラント語等のままメッセージを表示するように言語処理する眼鏡レンズ研削加工装置のメッセージ表示装置及びメッセージ送受信方法を提供することを目的とする。
【０００７】
また、本発明では、例えばメッセージ内容がバージョンアップしたような場合に、そのメッセージ内容のみその国の言語に翻訳せずに、例えば世界共通語である英語のままそのメッセージを表示するように、その国の言語と英語との少なくとも二種類の言語でのメッセージを混在して表示可能にするように設定した眼鏡レンズ研削加工装置のメッセージ表示装置及びメッセージ送受信方法を提供することを目的とする。
【０００８】
【課題を解決するための手段】
この目的を達成するため、請求項１の発明は、眼鏡フレームの玉型形状データに基づき眼鏡レンズを研削加工するために必要なメニューメッセージやエラーメッセージ等の各種メッセージを記憶するメッセージ記憶部と、該メッセージ記憶部に記憶されたメッセージを表示するためのメッセージ表示手段を備えた眼鏡レンズ研削加工装置のメッセージ表示装置において、  予め記憶されたメッセージのうちで抜け落ちているものがあるかどうか判断し、抜け落ちているメッセージがある場合に、装置が使用される国の言語に翻訳せずに世界共通言語のままメッセージを表示するように言語処理する演算処理手段を有する眼鏡レンズ研削加工装置のメッセージ表示装置としたことを特徴とする。
【０００９】
また、請求項２の発明は、上述した目的を達成するため、眼鏡フレームの玉型形状データに基づき眼鏡レンズを研削加工するために必要なメニューメッセージやエラーメッセージ等の各種メッセージを記憶するメッセージ記憶部と、該メッセージ記憶部に記憶されたメッセージを表示するためのメッセージ表示手段を備え、通信回線手段を介してメッセージの更新データを送受信する眼鏡レンズ研削加工装置のメッセージ送受信方法において、予め記憶されたメッセージのうちで抜け落ちているものがあるかどうか判断する段階と、抜け落ちているメッセージがある場合に、装置が使用される国の言語に翻訳せずに世界共通言語のままメッセージを表示するように言語処理する段階とを有する眼鏡レンズ研削加工装置のメッセージ送受信方法としたことを特徴とする。
【００１０】
【発明の実施の形態】
以下、この発明の実施の形態を図面に基づいて説明する。
【００１１】
［構成］
図１において、１は眼鏡フレームＦのレンズ枠形状やその型板或いは玉型モデル等から玉型形状データであるレンズ形状情報（θｉ，ρｉ）を読み取るフレーム形状測定装置（玉型形状データ測定装置）、２はフレーム形状測定装置から送信等によって入力された眼鏡フレームの玉型形状データに基づいて眼鏡レンズを研削加工するレンズ研削加工装置（玉摺機）である。尚、フレーム形状測定装置１には周知のものを用いることができるので、その詳細な構成やデータ測定方法等の説明は省略する。
【００１２】
＜レンズ研削加工装置２＞
レンズ研削加工装置２は、図２〜図９に示すように、装置本体３の前面側に設けられた加工室４を開閉する半透明（例えば、グレー等の有色透明）のカバー５を有する。また、レンズ研削加工装置２は、加工室４内に設けられた研削加工手段と、加工室４内に出没可能なコバ厚測定手段（共に図示せず）を有する。さらに、レンズ研削加工装置２は、研削加工手段の各駆動モータやコバ厚測定手段の駆動モータ等の制御操作やデータ設定操作を行う際に用いる第１及び第２の操作パネル６，７と、操作パネル６，７による操作状態等その他を表示する表示手段としての液晶表示器８とを備えている。
【００１３】
ここで、レンズ研削加工装置２の外観形態を把握するために、図２に正面図、図３に背面図、図４に右側面図、図５に平面図、図６に底面図、図７に斜視図を示す。
【００１４】
図２の正面図、図５の平面図に示すように、レンズ研削加工装置２は、液晶表示器８、第１及び第２の操作パネル６、７およびカバー５を同一平面上に備え、カバー５の右隣りに第１の操作パネル６が配置され、液晶表示器８の右隣りに第２の操作パネル７が配置され、作業者が作業しやすいように、カバー５及び第１の操作パネル６が液晶表示器８及び第２の操作パネル７より作業者から見て手前に配置されている。また、液晶表示器８の下側に種々の機能を実行させるファンクションキーが配置されている。
【００１５】
液晶表示器８、第１及び第２の操作パネル６，７およびカバー５を配置した平面部は、装置本体３に傾斜して設けられており、図４の右側面図に示すように、平面部の傾斜に合致するように、装置本体の上面部が前方側に緩やかに傾斜して全体的に流線形を印象づける。これは、人間工学的な見地から、作業者が姿勢を崩すこと無くレンズ研削加工作業を行い、液晶表示器８の画面を見やすくするとともに、作業者に、装置に親しみを感じ、心理的な圧迫感をなくしている。
【００１６】
また、図４の右側面図、図５の平面図、図７の斜視図に示すように、装置本体３の傾斜した上面部は、操作者から見て手前（前方）に張り出しており、緩やかに丸みを帯びた膨らみを呈している。これも同様に、作業者に、装置に親しみを感じ心理的に負担を掛けないためである。
【００１７】
カバー５は、図８のカバー５を開いた状態の平面図，図９のカバー５を開いた状態の斜視図に示すように、前面側から後方に向ってスライドすることで加工室４を開閉する。その加工室４は、底が深い構造となっており、図８の向って左側に内壁（縦壁）と平行な部分５１２と、手前から緩やかに傾斜する部分５１１とを備え、これら各部分５１１，５１２に段差が設けられている。部分５１１には屈曲部５１３が形成され、この屈曲部５１３を屈曲線としてカバー５側（上方）に向けて拡開する傾斜面５１１ａ，５１１ｂが形成されている。
【００１８】
傾斜面５１１ａ，５１１ｂは、屈曲部５１３よりも装置手前側に位置する傾斜面５１１ａよりも屈曲部５１３の装置奥側に位置する傾斜面５１１ｂの方が急角度となっている。また、傾斜面５１１ａ，５１１ｂは、加工室４の筐体を囲むようにレンズ回転軸５０１，５０１を軸支するキャリッジ（図示せず）の揺動のために設けられたもので、その傾斜角度は全般的に緩やかに傾斜されている。
【００１９】
この緩やかに傾斜する部分５１１の図示左側に穴（図示せず）を通して設けられた左右一対のレンズ回転軸５０１，５０１には、本件に係るレンズ研削加工装置により研削加工される生地レンズ５０２が挟持されている。
【００２０】
また、レンズ回転軸５０１の斜め下方には、研削加工のための研削砥石５０３が加工室４の右側面に設けられた穴（図示せず）を通して、砥石軸５０４に軸支されるように設けられている。研削砥石５０３は、粗研削砥石、ヤゲンＶ溝加工のためのＶ溝を有するヤゲン砥石、仕上砥石、鏡面砥石等を備えている。なお、研削砥石５０３の前方には覆い５０５が設けられている。
【００２１】
研削砥石５０３とは反対側の加工室４の内壁（縦壁）に設けられた穴（図示せず）を通して旋回アーム５１０が設けられている。旋回アーム５１０の先端には軸５０８に軸支された面取砥石５０６，５０７が設けられている。図示されていないが、この円盤状の面取砥石５０７の周縁の先端には、溝掘りカッター（溝掘砥石）が設けられている。なお、面取砥石５０６，５０７はカバー５０９に覆われており、作業者が誤って接触することを防止している。また、カバー５０９の内側には、研削砥石５０３の砥石面に研削水を掛けるためのホース（図示せず）が取り付けられている。
【００２２】
（研削加工手段）
研削加工手段は、後端部を中心に上下回動可能で且つ左右に可能なキャリッジと、そのキャリッジをパルスモータ等の駆動モータを用いて上下回動させる上下動手段と、キャリッジを左右動させるパルスモータ等の駆動モータと、キャリッジの先端部に左右に向けて直列且つ同軸に保持された一対のレンズ回転軸（レンズ保持軸）と、レンズ回転軸を回転駆動させるパルスモータ等の駆動モータと、キャリッジの上下回動に伴いレンズ回転軸間に保持された被加工レンズを研削加工する研削砥石を有する。この研削砥石は、粗研削砥石、ヤゲン砥石、仕上砥石等を有する。そして、研削加工手段は、一対のレンズ回転軸間に被加工レンズ（未加工レンズ）を保持させて、このレンズ回転軸の回動とキャリッジの上下回動をレンズ形状情報（θｉ，ρｉ）に基づいて制御し、被加工レンズの周縁を回転する粗研削砥石でレンズ形状（玉型形状）に粗研削加工する。また、研削加工手段は、レンズ回転軸の回動とキャリッジの上下回動を玉型形状情報であるレンズ形状情報（θｉ，ρｉ）に基づいて制御すると共に、設定されたヤゲン位置に基づいてキャリッジを左右に駆動する駆動モータを制御することにより、玉型形状に粗加工された被加工レンズのコバ端にヤゲン加工を施す様になっている。このような被加工レンズの研削加工手段は周知の構造を採用できるので、詳細な説明は省略する。
【００２３】
（コバ厚測定手段）
加工室４内に出没可能なコバ厚測定手段にも周知のものが用いられている。例えば、上述のレンズ回転軸間に被加工レンズを保持させておいて、加工室４内にパルスモータ等の駆動モータで出没可能な一対のフィーラーを設け、このフィーラーの間隔を検出させてコバ厚とするためのコバ厚検出手段を設けたものでもよい。この構成においては、加工室４に進出させた一対のフィーラーの先端を被加工レンズの前側屈折面と後側屈折面に当接させると共に、一対のレンズ回転軸を駆動する駆動モータをレンズ形状情報（θｉ，ρｉ）に基づいて角度θｉ毎に回転制御し、且つレンズ形状情報（θｉ，ρｉ）に基づいてフィーラー駆動用の駆動モータを作動制御することにより、フィーラーの被加工レンズへの当接位置を被加工レンズの動径ρｉの位置に移動させて、一対のフィーラー間の間隔を間隔測定手段で求めてレンズ形状情報（θｉ，ρｉ）におけるコバ厚Ｗｉとするようにしている。
【００２４】
（操作パネル６）
操作パネル６は、図１０（Ａ）に示すように、眼鏡レンズをレンズ軸によりクランプするための『クランプ』スイッチ６ａと、眼鏡レンズの右眼用・左眼用の加工の指定や表示の切換え等を行う『左』スイッチ６ｂ，『右』スイッチ６ｃと、砥石を左右方向に移動させる『砥石移動』スイッチ６ｄ，６ｅと、眼鏡レンズの仕上加工が不十分である場合や試し摺りする場合の再仕上又は試し摺り加工するための『再仕上／試』スイッチ６ｆと、レンズ回転モード用の『レンズ回転』スイッチ６ｇと、ストップモード用の『ストップ』スイッチ６ｈとを備える。
【００２５】
これは、実際のレンズ加工に必要なスイッチ群を加工室４に近い位置に配置することで作業者の動作の負担を軽減するためである。
【００２６】
（操作パネル７）
操作パネル７は、図１０（Ｂ）に示すように、液晶表示器８の表示状態を切り換える『画面』スイッチ７ａと、液晶表示器８に表示された加工に関する設定等を記憶する『メモリー』スイッチ７ｂと、レンズ形状情報（θｉ，ρｉ）を取り込むための『データ要求』スイッチ７ｃと、数値補正等に使用されるシーソー式の『−＋』スイッチ７ｄ（『−』スイッチと『＋』スイッチとを別々に設けても良い）と、カーソル式ポインタ移動用の『▽』スイッチ７ｅとを液晶表示器８の側方に配置している。また、ファンクションキーＦ１〜Ｆ６が液晶表示器８の下方に配列されている。
【００２７】
このファンクションキーＦ１〜Ｆ６は、眼鏡レンズの加工に関する設定時に使用されるほか、加工工程で液晶表示器８に表示されたメッセージに対する応答・選択用として用いられる。
【００２８】
各ファンクションキーＦ１〜Ｆ６は、加工に関する設定時（レイアウト画面）においては、図１１に示すように、ファンクションキーＦ１はレンズ種類入力用、ファンクションキーＦ２は加工コース入力用、ファンクションキーＦ３はレンズ素材入力用、ファンクションキーＦ４はフレーム種類入力用、ファンクションキーＦ５は面取り加工種類入力用、ファンクションキーＦ６は鏡面加工入力用として用いられる。
【００２９】
ファンクションキーＦ１で入力されるレンズ種類としては、『単焦点』、『眼科処方』、『累進』、『バイフォーカル』、『キャタラクト』、『ツボクリ』等がある。尚、『キャタラクト』とは、眼鏡業界では一般にプラスレンズで屈折度数が大きいものをいい、『ツボクリ』とは、マイナスレンズで屈折度数が大きいものをいう。
【００３０】
ファンクションキーＦ２で入力される加工コースとしては、『オート』、『試し』、『モニター』、『枠替え』等がある。
ファンクションキーＦ３で入力される被加工レンズの素材としては、フラット（以下、『フラ』と略する。）、『ハイインデックス』、『ガラス』、ポリカーボネイト（以下、『ポリカ』と略する。）、『アクリル』等がある。
【００３１】
ファンクションキーＦ４で入力される眼鏡フレームＦの種類としては、『メタル』、『セル』、『オプチル』、『平』、『溝掘り（細）』、『溝掘り（中）』、『溝掘り（太）』等がある。尚、この各『溝掘り』とは、ヤゲン加工の一種であるヤゲン溝を示す。
【００３２】
ファンクションキーＦ５で入力される面取り加工種類としては、『なし』、『小』、『中』、『特殊』等がある。
【００３３】
ファンクションキーＦ６で入力される鏡面加工としては、『なし』、『あり』、『面取部鏡面』等がある。
【００３４】
尚、上述したファンクションキーＦ１〜Ｆ６のモードや種別或いは順序は特に限定されるものではない。また、後述する各タブＴＢ１〜ＴＢ４の選択として、『レイアウト』、『加工中』、『加工済』、『メニュー』等を選択するためのファンクションキーを設けるなど、キー数も限定されるものではない。
【００３５】
（液晶表示器８）
液晶表示器８は、『レイアウト』タブＴＢ１、『加工中』タブＴＢ２、『加工済』タブＴＢ３、『メニュー』タブＴＢ４によって切り替えられ、下方にはファンクションキーＦ１〜Ｆ６に対応したファンクション表示部Ｈ１〜Ｈ６を有する。尚、各タブＴＢ１〜ＴＢ４の色は独立しており、後述する各エリアＥ１〜Ｅ４を除いた周囲の背景も各タブＴＢ１〜ＴＢ４の選択切換と同時に各タブＴＢ１〜ＴＢ４と同一の背景色に切り替わる。
【００３６】
この『レイアウト』タブＴＢ１、『加工中』タブＴＢ２、『加工済』タブＴＢ３、『メニュー』タブＴＢ４の部分は例えばタッチ式スイッチ等としておくことで、『レイアウト』タブＴＢ１、『加工中』タブＴＢ２、『加工済』タブＴＢ３、『メニュー』タブＴＢ４の等の部分に指を触れて軽く押すことにより、『レイアウト』タブＴＢ１、『加工中』タブＴＢ２、『加工済』タブＴＢ３、『メニュー』タブＴＢ４等のいずれかを選択して、選択したタブの内容表示をできるようにする。尚、『レイアウト』タブＴＢ１、『加工中』タブＴＢ２、『加工済』タブＴＢ３、『メニュー』タブＴＢ４の選択はファンクションキーＦ１〜Ｆ６を用いて行うこともできるし、タブ選択用の専用のスイッチを設けておいても良い。
【００３７】
例えば、『レイアウト』タブＴＢ１とそのタブＴＢ１が付された表示画面全体（背景）は青色、『加工中』タブＴＢ２とそのタブＴＢ２が付された表示画面全体（背景）は緑色、『加工済』タブＴＢ３とそのタブＴＢ３が付された表示画面全体（背景）は赤色、『メニュー』タブＴＢ４とそのタブＴＢ４が付された表示画面全体（背景）は黄色で表示されている。
【００３８】
このように、作業毎に色分けした各タブＴＢ１〜ＴＢ４と周囲の背景とが同一色で表示されるので、作業者は現在どの作業中であるのかを容易に認識又は確認することができる。
【００３９】
ファンクション表示部Ｈ１〜Ｈ６は、必要に応じたものが適宜表示され、非表示状態の時にはファンクションキーＦ１〜Ｆ６の機能に対応したものとは異なった図柄や数値、或いは、状態等を表示することができる。また、ファンクションキーＦ１〜Ｆ６を操作している際、例えば、ファンクションキーＦ１を操作している際には、そのファンクションキーＦ１をクリックする毎にモード等の表示が切り替わっても良いし、図１２に示すように、例えば、ファンクションキーＦ１に対応する各モードの一覧を表示して（ポップアップ表示）選択操作を向上させることも可能である。また、ポップアップ表示中の一覧は、文字、図形又はアイコン等で表わされる。
【００４０】
『レイアウト』タブＴＢ１、『加工中』タブＴＢ２、『加工済』タブＴＢ３を選択した状態の時には、アイコン表示エリアＥ１、メッセージ表示エリアＥ２、数値表示エリアＥ３、状態表示エリアＥ４に区画した状態で表示される。また、『メニュー』タブＴＢ４を選択した状態の時には、図１３（ユーザー使用可能モードの場合），図１４（サービスマン使用可能モードの場合）に示すように、メニュー表示エリアＥ５として表示される。尚、『レイアウト』タブＴＢ１を選択している状態の時には、『加工中』タブＴＢ２と『加工済』タブＴＢ３とを表示せず、レイアウト設定が終了した時点で表示しても良い。
【００４１】
『メニュー』タブＴＢ４を選択した状態の時に、図１３に示したメニュー表示エリアＥ５から設定した事項は、図１５〜図２６に示すように、詳細メニュー表示エリアＥ６となって詳細メニュー設定が行われる。尚、図１３に示したメニュー表示に替えて図１５に示した詳細メニュー表示を採用しても良い。
【００４２】
［制御回路］
レンズ研削加工装置２は、図６７に示すように、制御回路３０を有する。この制御回路３０は、第１のＣＰＵ（ＣＰＵ−１）を備える第１の演算制御回路３１を有すると共に、第２のＣＰＵ（ＣＰＵ−２）を備え且つ第１の演算制御回路３１に接続された第２の演算制御回路３２を有する。
【００４３】
第１の演算制御回路３１は、レンズコバ厚の測定中及びレンズ研削加工中にメモリからデータを読み出したり、レンズの加工のためのレイアウトの設定等を制御するために用いられる。また、第２の演算制御回路３２は、コバ厚を測定した後に、レイアウト情報（加工条件）に基づいて被加工レンズの粗加工，ヤゲン加工，仕上加工のレンズ研削加工の流れを制御するのに用いられる。
【００４４】
第１の演算制御回路３１には、フレーム形状測定装置１、操作パネル６の各スイッチ６ａ〜６ｎ、ファンクションキーＦ１〜Ｆ６、このファンクションキーＦ１〜Ｆ６で設定したデータを記憶する設定データメモリ（メッセージ記憶部）３３、液晶表示器（メッセージ表示手段）８が接続されている。
【００４５】
この設定データメモリ３３は、眼鏡フレームの玉型形状データに基づき眼鏡レンズを研削加工するために必要なメニューメッセージやエラーメッセージ等の各種メッセージを記憶する様になっている。また、液晶表示器８は、メッセージ記憶部である設定メモリ３３に記憶されたメッセージを表示する様になっている。そして、第１の演算制御回路（演算処理手段）３１は、予め記憶されたメッセージのうちで抜け落ちているものがあるかどうか判断し、抜け落ちているメッセージがある場合に、装置が使用される国の言語に翻訳せずに世界共通言語のままメッセージを表示するように言語処理する様になっている。また、第１の演算制御回路３１は、追加して記憶されるメッセージを、装置が使用される国の言語に翻訳せずに、世界共通言語で表示すると共に、記憶済みのその国の言語に翻訳されたメッセージと並存して表示するように言語処理する様になっている。
【００４６】
第２の演算制御回路３２には、加工中のデータを記憶するための加工データメモリ３４と、研削加工手段の各駆動モータを駆動制御させる制御回路３５と、コバ厚測定手段における間隔測定手段３６が接続されている。
【００４７】
ファンクションキーＦ１〜Ｆ６の操作信号は、第１の演算制御回路３１に入力される。液晶表示器８のファンクション表示部Ｈ１〜Ｈ６の表示に対応するファンクションキーＦ１〜Ｆ６を選択して押すことで、第１の演算制御回路３１は選択されたファンクションキーＦ１〜Ｆ６に対応する表示内容に従って液晶表示器８の表示の一部又は全部の変更、モードの変更、作業の実行等を行う。また、第１の演算制御回路３１は、液晶表示器８の状態表示エリアＥ４の表示状態を加工状態に応じて制御する。
【００４８】
この第１の演算制御回路３１には、通信サービス用の端末装置１００が接続されている。この端末装置１００は、メッセージ記憶部である設定メモリ３３に記憶されたメッセージを表示するための表示装置（メッセージ表示手段）１０１を備えている。また、この端末装置１００は、メーカ又は保守点検修理のためのサービス会社等の端末装置１０２にインターネット（通信回線手段）１０３を介して接続されている。そして、端末装置１０２は通信回線手段であるインターネット１０３を介してメッセージの更新データを端末装置１００に送信するようになっている。この更新データを端末装置１００が受信すると、端末装置１００は第１の演算制御回路３１に更新データを送信して設定データメモリ３３の「メニューメッセージやエラーメッセージ等の各種メッセージ」を更新するようになっている。この更新には、例えばメッセージの変更、メッセージの削除、メッセージの追加等が含まれる。
【００４９】
尚、この様な端末装置１００の機能は第１の演算制御回路３１に持たせることもできる。従って、端末装置１００を介することなく、レンズ研削加工装置２を直接インターネット（通信回線手段）１０３に接続することができる。ただし、インターネット（通信回線手段）１０３には、無線ＬＡＮ等の無線通信回線手段も含まれる。
［作用］
次に、この様な演算制御回路３１による液晶表示器８の表示状態及び演算制御回路３２による加工を説明する。
【００５０】
レンズ研削加工装置２の図示しないメインの電源スイッチをＯＮさせてシステムを起動させると、第１の演算制御回路３１及び第２の演算制御回路３２が動作させられる。この動作により第１の演算制御回路３１は、液晶表示器８に図１０（Ｂ）及び図３４に示すような表示をさせる。即ち、液晶表示器８には、『レイアウト』タブＴＢ１を選択している状態が表示され。
【００５１】
この第１の演算制御回路３１は、図１０（Ｂ）及び図３４に示す液晶表示器８の表示状態から『レイアウト』タブＴＢ１に指を軽く触れるとレイアウトの選択表示をし、『加工中』タブＴＢ２に指を軽く触れると加工中の選択表示をし、『加工済』タブＴＢ３に指を軽く触れると加工済の選択表示をし、『メニュー』タブＴＢ４の部分に指を軽く触れるとメニューの選択表をする。
（１）液晶表示器８の表示及び各種設定
＜設定、設定変更モード＞
この選択において『メニュー』タブＴＢ４の部分に指を軽く触れると、図１３に示したメニューが表される。この図１３に示したメニュー表示エリアＥ５に表示されたメニュー表示から、『設定』を選択すると、図１５に示すように、詳細メニュー表示エリアＥ６は、ガイダンス表示エリアＥ６１、第１詳細表示エリアＥ６２、第２詳細表示エリアＥ６３、第３詳細表示エリアＥ６４に分割して表示される。
【００５２】
ガイダンス表示エリアＥ６１は、現在の設定又は設定変更モードに基づく画面表示状態の説明並びに次工程の作業を促すメッセージ等のガイダンスが文字表示される。
【００５３】
第１詳細表示エリアＥ６２には、『設定』『調整』『メンテナンス』の項目が表示される。この『設定』『調整』『メンテナンス』の選択は、カーソル式ポインタＰＥ１（背景色と文字色とが反転する）をファンクションキーＦ１の操作（ファンクション表示部Ｈ１に『ダウン』の表示）毎に『設定』『調整』『メンテナンス』の順にカーソル式ポインタＰＥ１が移動し、ファンクションキーＦ６の操作（ファンクション表示部Ｈ６に『実行』の表示）によって指定が決定される。第１詳細表示エリアＥ６２において『設定』を選択すると、第２詳細表示エリアＥ６３が表示される。
【００５４】
第２詳細表示エリアＥ６３には、『設定変更モード』『クランプ圧設定モード』『通信ポート設定モード』の項目が表示される。この『設定変更モード』『クランプ圧設定モード』『通信ポート設定モード』の選択は、カーソル式ポインタＰＥ２（背景色と文字色とが反転する）をファンクションキーＦ３の操作（ファンクション表示部Ｈ３に『ダウン』の表示）毎に『設定変更モード』『クランプ圧設定モード』『通信ポート設定モード』の順にカーソル式ポインタＰＥ２が移動し、ファンクションキーＦ６の操作（ファンクション表示部Ｈ６に『実行』の表示）によって指定が決定される。第２詳細表示エリアＥ６３において『設定変更モード』にカーソルを合わせ選択すると、第３詳細表示エリアＥ６４が表示される。
【００５５】
第３詳細表示エリアＥ６４には、『言語の設定』『Ｆスイッチ（ファンクションスイッチ）の初期設定』『ポップアップ表示の設定』『レイアウト初期値の設定』『表示画面の設定』『吸着モードの設定』『サイズの設定』『画面のコントラスト調整』の項目が表示される。これらの『言語の設定』『Ｆスイッチの初期設定』『ポップアップ表示の設定』『レイアウト初期値の設定』『表示画面の設定』『吸着モードの設定』『サイズの設定』『画面のコントラスト調整』の選択は、カーソル式ポインタＰＥ３（背景色と文字色とが反転する）をファンクションキーＦ５の操作（ファンクション表示部Ｈ５に『ダウン』の表示）毎に『言語の設定』『Ｆスイッチ（ファンクションスイッチ）の初期設定』『ポップアップ表示の設定』『レイアウト初期値の設定』『表示画面の設定』『吸着モードの設定』『サイズの設定』『画面のコントラスト調整』の順にカーソル式ポインタＰＥ３が移動し、ファンクションキーＦ６の操作（ファンクション表示部Ｈ６に『実行』の表示）によって指定が決定される。なお、カーソル式ポインタＰＥ１〜ＰＥ３をファンクションキーＦ１，Ｆ３，Ｆ５の操作によって選択してファンクションキーＦ６等によって実行する操作に関しては以降同様なのでその説明は省略する。
【００５６】
＜言語の設定＞
図１５の状態での第３詳細表示エリアＥ６４において、『言語の設定』にカーソル式ポインタＰＥ３を合わせ選択・実行すると、図１６に示すように、詳細メニュー表示エリアＥ６の表示が切り替わり、第１詳細表示エリアＥ６２に、『Ｄｕｔｃｈ』（オランダ語）、『Ｅｎｇｌｉｓｈ』（英語）、『Ｇｅｒｍａｎ』（ドイツ語）、『Ｓｐａｎｉｓｈ』（スペイン語）、『日本語』、『中国語』等の言語（又は国名）に関する項目が表示される。
（ｉ）『日本語』、『Ｅｎｇｌｉｓｈ』（英語）、『Ｄｕｔｃｈ』（オランダ語）の例
この『日本語』、『Ｅｎｇｌｉｓｈ』（英語）、『Ｄｕｔｃｈ』（オランダ語）等によるメッセージ例を先ず説明する。
＜日本語に対する英語及びオランダ語の例１＞
例えば、図６２（ａ）に示したような日本語のメッセージがある場合、このメッセージに対応する英語、オランダ語の表示がある。例えば、ＩＤ○○○○の日本語のメッセージでは、「通常のカップでは加工できません。」、「小径用カップが付いていますか？」、「はい（Ｆ・１）→加工を開始します。」、「いいえ（Ｆ・６）→小径用カップに交換してください。」等がある。
【００５７】
この日本語に対応する英語への翻訳では、「通常のカップでは加工できません。」が「Ｃａｎｎｏｔ  ｂｅ  ｄｏｎｅ  ｔｈｅ  ｅｄｇｉｎｇ．」、「小径用カップが付いていますか？」が「ｉｆ  ｔｈｅ  ｓｔａｎｄａｒｄ  ｃｕｐ  ｉｓ  ｕｓｅｄ．  Ｉｓ  ｔｈｅ  ｓｍａｌｌ  ｄｉａｍｅｔｅｒ  ｃｕｐ？」、「はい（Ｆ・１）→加工を開始します。」が「Ｙｅｓ（Ｆ１）→Ｓｔａｒｔ  ｔｈｅ  ｅｄｇｉｎｇ．」、「いいえ（Ｆ・６）→小径用カップに交換してください。」が「Ｎｏ（Ｆ６）→Ｃｈａｎｇｅ  ｔｏ  ｔｈｅ  ｓｍａｌｌ  ｄｉａｍｅｔｅｒ  ｃｕｐ」の様になる。
【００５８】
しかも、日本語に対応するオランダ語への翻訳では、「通常のカップでは加工できません。」が「Ｋａｎ  ｎｉｅｔ  ｓｌｐｅｎ．」、「小径用カップが付いていますか？」が「Ｉｓ  ｄｅ  ｈａｌｖｅ  ｍａａｎ  ｃｕｐ  ｇｅｍｏｎｔｅｅｒｄ？」、「はい（Ｆ・１）→加工を開始します。」が「Ｊａ（Ｆ１）→Ｓｔａｒｔ  ｓｌｕｐｅｎ．」、「いいえ（Ｆ・６）→小径用カップに交換してください。」が「Ｎｅｅ（Ｆ６）→Ｖｅｒａｎｄｅｒ  ｄｅ  ｃｕｐ  ｎａａｒ  ｈａｌｖｅ  ｍａｎｎ．」の様になる。
＜日本語に対する英語及びオランダ語の例２＞
また、ＩＤΔΔΔΔの日本語のメッセージでは、「加工径が不足しています。加工できません。」、『「戻る」スイッチを押して、レイアウトの設定を変更してください』等がある。
【００５９】
この日本語に対応する英語への翻訳では、「加工径が不足しています。加工できません。」が「Ｔｈｅ  ｌｅｎｓ  ｄｉａｍｅｔｅｒ  ｉｓ  ｎｏｔ  ｓｕｆｆｉｃｉｅｎｔ．」、『「戻る」スイッチを押して、レイアウトの設定を変更してください』が「Ｐｒｅｓｓ  Ｒｅｔｕｒｅ  ｔｏ  ｃｈａｎｇｅ  ｔｈｅ  ｌａｙｏｕｔ．」の様になる。
【００６０】
しかも、日本語に対応するオランダ語への翻訳では、「加工径が不足しています。加工できません。」が「Ｄｅ  ｌｅｎｓ  ｉｓ  ｔｅ  ｋｌｅｉｎ．」、『「戻る」スイッチを押して、レイアウトの設定を変更してください』が「Ｄｒｕｋ  ｏｐ  Ｒｅｔｕｒｅ  ｏｍ  ｄｅ  ｄｅｃｅｎｔｒａｓｔｉｅ．」の様になる。
＜日本語に対する英語及びオランダ語の例３＞
更に、ＩＤ◇◇◇◇の日本語のメッセージでは、「加工径が不足しています。加工できません。」、「面取加工ができません。」、『「戻る」スイッチを押して、「面取」の設定を変更してください。』等がある。
【００６１】
この日本語に対応する英語への翻訳では、「加工径が不足しています。加工できません。」が「Ｔｈｅ  ｌｅｎｓ  ｄｉａｍｅｔｅｒ  ｉｓ  ｎｏｔ  ｓｕｆｆｉｃｉｅｎｔ．」、「面取加工ができません。」が「Ｃａｎｎｏｔ  ｂｅ  ｄｏｎｅ  ｓａｆｔｙ  ｂｅｖｅｌｉｎｇ．」、『「戻る」スイッチを押して、「面取」の設定を変更してください。』が「Ｐｒｅｓｓ  Ｒｅｔｕｒｅ  ｔｏ  ｃｈａｎｇｅ  ｔｈｅ  ｓｅｔｔｉｎｇ  ”Ｓａｆｅｔｙ  Ｂｅｖｅｌ”．」の様になる。
【００６２】
この日本語に対応するオランダ語への翻訳では、正しくは図６２（ｂ）の如く「加工径が不足しています。加工できません。」が「Ｄｅ  ｌｅｎｓ  ｉｓ  ｔｅ  ｋｌｉｎ．」、「面取加工ができません。」が「Ａｆｚｏｅｔｅｎ  ｋａｎ  ｎｉｅｔ  ｗｏｒｄｅｎ  ｕｉｔｇｅｖｏｅｒｄ．」、『「戻る」スイッチを押して、「面取」の設定を変更してください。』が「Ｄｒｕｋ  ｏｐ  Ｒｅｔｕｒｅ  ｏｍ  ｄｅ  ”Ｚｏｅｔｒａｎｄ”  ｉｎｓｔｅｌｌｉｎｇ  ｔｅ  ｗｉｊｚｉｇｅｎ．」の様になる。
【００６３】
しかし、  例えば日本語で”面取加工”のオランダ語への翻訳”Ｚｏｅｔｒａｎｄ”が間に合わない場合には、オランダ語への翻訳文「Ｄｒｕｋ  ｏｐ  Ｒｅｔｕｒｅ  ｏｍ  ｄｅ  ”Ｓａｆｅｔｙ  Ｂｅｖｅｌ”  ｉｎｓｔｅｌｌｉｎｇ  ｔｅ  ｗｉｊｚｉｇｅｎ．」の様に、翻訳文中の”Ｚｏｅｔｒａｎｄ”となるべき部分を英語の”Ｓａｆｅｔｙ  Ｂｅｖｅｌ”に置き換えて表現する様にしている。
（ｉｉ）共通語について
また、図１６の詳細メニュー表示エリアＥ６には、『共通語』『共通語』の項目が表示される。この『共通語』にポインターＰＥ１を合わせ、クリックすると、詳細メニュー表示エリアＥ７が開き、『共通語  全文』『共通語  一部』の項目が表示される。
【００６４】
この『共通語  全文』では、例えば上述した日本語、英語、オランダ語の場合、エラーメッセージのＩＤ○○○○、ＩＤ△△△△、ＩＤ◇◇◇◇の英語の内容が日本語訳されていない場合や、オランダ語訳されていない場合に、図６２（ａ）の英語のメッセージの全文をそのまま表示するように設定することができる。
【００６５】
さらに、『共通語  一部』では、例えば上述したオランダ語の場合、エラーメッセージのＩＤ◇◇◇◇で  図６２（ａ）の英語のメッセージの「Ｓａｆｅｔｙ  Ｂｅｖｅｌ」に対するオランダ語翻訳ができなかった場合や、更新データの配信で間に合わなかった場合に、図６２（ａ）のオランダ語のエラーメッセージの文中に英語の単語「Ｓａｆｅｔｙ  Ｂｅｖｅｌ」のまま一部英語表示するように設定することができる。尚、翻訳されていれば、英語のメッセージの「Ｓａｆｅｔｙ
Ｂｅｖｅｌ」はオランダ語で図６２（ｂ）の”Ｚｏｅｔｒａｎｄ”になる。
（ｉｉｉ）特殊用語の共通語例
なお、この『共通語  一部』では、特殊な眼鏡用語、例えば「キャタラクト」や「ツボクリ」、「ＥＸ」、「マタロウ」、「マタヘイ」といった特殊レンズの名称を英語表示するように設定することもできる。この特殊レンズの場合、例えば図６２（ｃ）に示したように「キャタラクト」は「Ｌｅｎｔｉｃｕｌａｒ」、  「ツボクリ」は「Ｔｓｕｂｏｋｕｒｉ」、「ＥＸ」は「ＥＸ」、「マタロウ」は「Ｓｔｒｏｎｇ  ｍｉｎｕｓ」、「マタヘイ」は「Ｓｔｒｏｎｇ  ｍｉｎｕｓ」のように英語表示される。
（ｉｖ）その他の言語の例
上記の実施例では、日本語と英語、オランダ語と英語の場合について記載したが、これに限定されず、英語を公用語としていない、例えば中国、韓国、東南アジア、インド、ロシア、東欧、北欧、中近東、アフリカ、中南米等の諸外国のあらゆる言語、例えば中国語、韓国語、ヒンドゥー語、フランス語、ドイツ語、イタリヤ語、スペイン語、ロシヤ語、ハンガリー語、スウェーデン語等の言語に適用することができる。また、エラーメッセージに限らず、メニューメッセージにも適用することができる。英語以外で、例えばエスペラント語のような世界共通語でもよい。
（ｖ）通信によるメッセージ内容の更新等
また、メーカ又は保守点検修理のためのサービス会社等では、端末装置１０２は通信回線手段であるインターネット１０２を介して、全世界のユーザーに向けて、メニューメッセージやエラーメッセージ等のメッセージの更新データを配信することができる。この配信された更新データを端末装置１００が受信すると、端末装置１００は第１の演算制御回路３１に更新データを送信して設定データメモリ３３の「メニューメッセージやエラーメッセージ等の各種メッセージ」を更新するようになっている。この更新には、例えばメッセージの変更、メッセージの削除、メッセージの追加等が含まれる。
【００６６】
ところで、通信回線手段であるインターネット１０３を経由して、全世界のユーザーに向けて、メニューメッセージやエラーメッセージ等のメッセージの更新データを配信した場合において、英語以外の種々の言語に翻訳したメッセージが間に合わない場合には、端末装置１００は上述した『共通語  全文』のメッセージを第１の演算制御回路３１を介して設定データメモリ３３に記憶させ、第１の演算制御回路３３により上述した『共通語  全文』で液晶表示器８にメッセージ表示させることができる。
【００６７】
また、この様にして設定メモリ３３に記憶されたメッセージに基づいてエラーメッセージが表示された場合、サービスマンあるいは装置製造メーカーの技術者等の保守点検担当者が修理し回復させるか、眼鏡店の作業者等が保守点検担当者の援助により修理し回復させるかするように指示する。この指示は、予め設定データメモリ３３に記憶させたメッセージにより行う。
【００６８】
しかし、この修理し回復させるのに時間がかかる場合には、修理し回復するまでエラーメッセージが消えないようにメッセージメモリに記憶させる様にする。即ち、第１の演算制御回路３１は、眼鏡店の作業者等又は保守点検担当者が装置を修理して、装置の機能が回復したとき、エラーメッセージが消えるように液晶表示器８を制御する。
【００６９】
また、第１の演算制御回路３１は、この表示されたエラーメッセージ等を履歴として設定データメモリ（メモリ）３３に順次記憶させる様になっている。しかも、第１の演算制御回路３３は、保守点検担当者が定期的に点検する時に、その点検内容を履歴として設定データメモリ（メモリ）３３に記憶させる様になっている。この際、エラーメッセージ表示が原文（世界共通語、英語）である場合、保守点検担当者が原文のエラーメッセージをの履歴を参照しつつ保守点検にあたる。
【００７０】
この理由は、エラーメッセージ表示が原文（世界共通語、英語）で表示されたとしても、その内容を眼鏡店の作業者等が判読できなかった場合、その作業者はそのエラーメッセージ内容を理解することができず、作業を中断せざるを得ないからである。
【００７１】
また、手順、動作シーケンスの履歴をメモリに記憶させる。この理由は、どのような過程を経てエラーが発生したのか分かるからである。すなわち、眼鏡店の作業者等の誤操作でエラーが発生したのか、或いは装置内部に故障があってエラーが発生したのかが分かるからである。
【００７２】
更に、バージョンアップした情報（エラーメッセージ、メニューメッセージ以外の新たな機能、バグ処理後の動作情報など）をインターネット（通信回線）を介して配信する。
（ｖｉ）その他
現在の設定が『日本語』の場合、例えば、第１詳細表示エリアＥ６２の『Ｅｎｇｌｉｓｈ』を選択実行すると、メッセージ言語の切り替えが行われ、次回起動時以降により表示される言語が英語に切り替わる。
【００７３】
各国語メッセージは所定のフォーマットに従い各言語別に作成する。各国語対応に必要なメッセージのうち、警告メッセージ等のユーザメッセージは、一つのメッセージを単位として、そのメッセージ毎の個別の識別可能な記号・文字・図形等のキャラクターを用いて記述する。
【００７４】
これによって、従来のレンズ研削加工装置における言語の設定において各国語対応に切り替える作業が簡略化され、作業効率を上げることができる。
【００７５】
＜Ｆスイッチの初期設定＞
図１５の状態での第３詳細表示エリアＥ６４において、『Ｆスイッチの初期設定』にカーソル式ポインタＰＥ３を合わせ選択・実行すると（図１７参照）、図１８に示すように、第１詳細表示エリアＥ６２には『レンズタイプ』『コース』『レンズ』『フレーム』『面取り』『鏡面』『ビープ音』の項目が表示され、第２詳細表示エリアＥ６３には設定変更前の設定内容（例えば、『レンズタイプ』は『単焦点』に、『コース』は『オート』に、『レンズ』は『無』に、『フレーム』は『メタル』に、『面取り』は『無』に、『鏡面』は『無』に、『ビープ音』は『無』に設定されている）が表示される。ここで、例えば、第２詳細表示エリアＥ６３で『単焦点』から『累進』に設定変更する場合には、『単焦点』にカーソルを合わせると、第２詳細表示エリアＥ６３の右隣りに第３詳細表示エリアＥ６４が表示され、『眼科処方』『累進』『バイフォーカル』『キャタラクト』『ツボクリ』『ＥＸ』『タマロウ』『マタヘイ』が表示されるので、この中から選択したい『累進』の項目にカーソル式ポインタＰＥ３を合わせ選択・実行すれば『レンズタイプ』が『累進』レンズに設定変更される。ここで、『ＥＸ』レンズとは屈折面の所定領域においてコバ厚の厚みが異なる（例えば、眼鏡レンズの下半分のコバ厚が薄い）レンズのことをいい、『マタロウ』とはツボクリの一種類で屈折度数が大きい（コバ面が厚い）マイナスレンズの後側屈折面のコバ端面を斜めに面取りしているレンズのことをいい、『マタヘイ』とは『マタロウ』と同様にツボクリの一種類で屈折度数が大きい（コバ面が厚い）マイナスレンズの後側屈折面のコバ端面を平らに面取りしているレンズのことをいい、眼鏡業界では一般的に使われている用語である。
【００７６】
＜ポップアップ表示の設定＞
図１５の状態での第３詳細表示エリアＥ６４において『ポップアップ表示の設定』にカーソル式ポインタＰＥ３を合わせて選択・実行すると（図１９参照）、図２０に示すように、第１詳細表示エリアＥ６２には、『レンズタイプ』『コース』『レンズ』『フレーム』『面取り』『鏡面』『ビープ音』の項目が表示される。
【００７７】
第１詳細表示エリアＥ６２において『レンズタイプ』にカーソル式ポインタＰＥ１に合わせて選択・実行すると、第２詳細表示エリアＥ６３（上記の第２詳細表示エリアＥ６３よりも右寄りに表示される）には、現在設定されている（設定変更前の）『単焦点』『眼科処方』『累進』『バイフォーカル』『キャタラクト』『ツボクリ』『ＥＸ』『マタロウ』『マタヘイ』の項目が表示される。
【００７８】
作業者は、これらの項目のうち、あまり使用しない眼鏡レンズとして『バイフォーカル』『キャタラクト』『ツボクリ』『ＥＸ』『タマロウ』『マタヘイ』の項目をファンクションキーＦ４の操作によって削除（ファンクション表示部Ｈ４に『選択／解除』が表示される）することで、前述のファンクションキーＦ１をクリックした際のポップアップ表示（図１２参照）がされ、『単焦点』『眼科処方』『累進』の選択した項目が表示される。作業者がこれらの現在表示項目以外に『バイフォーカル』や『ツボクリ』も含めたい場合、例えば、『バイフォーカル』の項目を追加したい場合には、メニュー画面での『設定』→『設定変更モード』→『ポップアップ表示の設定』→『レンズタイプ』を順次選択し、『バイフォーカル』にカーソル式ポインタＰＥ２を合わせファンクションキーＦ５で実行することによって追加され、ポップアップ表示の際に『バイフォーカル』も表示することができる。
【００７９】
これによって、作業者が好みに応じてポップアップ表示中に表示された項目を追加したり削除したりすることができ、通常良く行う作業の効率アップにつながる。さらに、作業者の好みによって表示させた項目のうち、良く使う項目、例えば『累進』の使用頻度が他の項目に比べて多いような場合、その『累進』の項目をポップアップ表示中の一番先頭に表示するように並べ替え表示することもできる。また、使用頻度に応じて先頭表示、並べ替え表示するように学習機能を持たせることもできる。
【００８０】
＜レイアウト初期値の設定＞
図１５の第３詳細表示エリアＥ６４において『レイアウト初期値の設定』にカーソル式ポインタＰＥ３を合わせて選択・実行すると（図２１参照）、図２２に示すように、第１詳細表示エリアＥ６２には、『←Ｂ→』『ＦＰＤ』『ＰＤ』『ＵＰ』『初期値』の項目が表示され、それぞれの項目に対応して第２詳細表示エリアＥ６３に設定変更する前の設定内容『１５．０』『７０．０』『６４．０』『＋２．０』の数値が表示され、それぞれの項目に対して作業者の好みに応じて設定変更することができる。
【００８１】
例えば、眼鏡加工でのレイアウトデータを入力する際に眼鏡フレームのブリッジ幅（Ｂ）の入力を１５．０ｍｍの初期値から１３．０ｍｍの初期値に設定変更し、眼鏡フレームの幾何学中心間距離（ＦＰＤ）の入力を７０．０ｍｍの初期値から６５．０ｍｍの初期値に設定変更し、眼鏡フレームを装用する眼鏡装用者の瞳孔間距離（ＰＤ）の入力を６４．０ｍｍの初期値から６５．０ｍｍの初期値に設定変更し、眼鏡装用者の瞳孔位置が通常より上側に位置している場合の上側寄せ量値（ＵＰ）の入力を＋２．０ｍｍの初期値から＋１．０ｍｍの初期値に設定変更することができる。
【００８２】
すべての初期値の入力が終了すると、『実行』をクリックすることで初期値の設定変更が完了する。なお、『設定変更モード』には、この他に『表示画面の設定』『吸着モードの設定』『サイズの設定』『画面のコントラスト調整』の項目があり、それぞれの設定を作業者の好みに応じて変更することができる。
【００８３】
『表示画面の設定』は、画面表示に関する設定を行うための項目である。
【００８４】
『吸着モードの設定』は、眼鏡レンズを研削加工する場合にそのレンズの前後屈折面をレンズ回転軸によりチャッキング（挟持）するが、そのチャッキングする位置を眼鏡フレームの幾何学中心位置（ボックス中心或いは型心）にするか、眼鏡装用者眼の瞳孔中心（光心）にするか、或いはその２種類のチャッキング位置をレンズ種類に応じて変更可能に設定するか、３タイプの設定が可能である。
【００８５】
また、『サイズの設定』は、眼鏡フレームの材質、セル、メタル、オプチル（セルフレームのうちのやわらかいフレーム）、平（例えばツーポイントフレーム）に応じてレンズ加工の加工サイズを設定するための項目である。
『画面のコントラスト調整』は、液晶モニターのコントラスト調整を行うための項目である。
【００８６】
＜調整＞
図１５で示した第１詳細表示エリアＥ６２から、図２３に示すように、カーソル式ポインタＰＥ１を『調整』に合わせて選択・実行すると、第２詳細表示エリアＥ６３に『砥石位置補正モード』『仕上りサイズのゼロ調整モード』『ヤゲン位置調整モード』『軸調整モード』『ＰＤ調整モード』『面取り・溝堀り調整モード』の項目が表示される。
【００８７】
『砥石位置補正モード』は、レンズ回転軸と砥石回転軸との軸間距離を補正調整するための項目である。『仕上がりサイズのゼロ調整モード』は、眼鏡レンズを仕上加工するときに、例えば眼鏡レンズのチャッキング位置の誤差等から生じる加工サイズの誤差を調整するための項目である。『ヤゲン位置調整モード』は、例えばヤゲン山位置の調整のための項目である。『軸調整モード』は、例えば眼鏡装用者眼の乱視軸を水平になるように眼鏡レンズを加工するために必要な軸調整のための項目である。『ＰＤ調整モード』は、眼鏡レンズのチャッキング誤差（吸着誤差）等から生じるＰＤ誤差を調整するための項目である。『面取り・溝掘り調整モード』は、面取加工・溝掘加工から生じる誤差を調整するための項目である。
【００８８】
尚、これらの設定若しくは設定変更は、上述したレイアウト初期値の設定と同様であるため、その説明は省略する。
【００８９】
＜メンテナンス＞
図１５で示した第１詳細表示エリアＥ６２から、図２４に示すように、カーソル式ポインタＰＥ１を『メンテナンス』に合わせて選択・実行すると、第２詳細表示エリアＥ６３に『加工枚数表示モード』『砥石ドレスモード』『クリーニングモード』『砥石交換モード』『サービスマンモード』の項目が表示される。例えば、『サービスマンモード』の項目にカーソル式ポインタＰＥ２を合わせて選択・実行すると、第３詳細表示エリアＥ６４が表示され、『−＋』スイッチ７ｄで暗証番号『＋０．２５』を入力すると、図２５に示すように、第１詳細表示エリアＥ６２には、『補正値』『加工』『その他』の項目が表示される。
【００９０】
この状態から、例えば、『補正値』の項目にカーソル式ポインタＰＥ１を合わせて選択・実行すると第２詳細表示エリアＥ６３には、『標準値書き込み』『補正値変更』『補正値変更（ＨＥＸ表示）』の項目が表示される。
【００９１】
さらに、例えば、『補正値変更（ＨＥＸ表示）』の項目にカーソル式ポインタＰＥ２を合わせて選択・実行すると、図２６に示すように、第２詳細表示エリアＥ６３及び第３詳細表示エリアＥ６４で補正値の変更を行うことができ、サービスマンモードでの作業を一括して表示したスムースなメンテナンスを行うことができる。
【００９２】
［アイコン及びカーソル（インジケータ）］
アイコン表示エリアＥ１に表示されるアイコンとしては、図２７（Ａ）に示すように、玉型形状データであるレンズ形状情報（θｉ，ρｉ）に基づいて眼鏡レンズのコバ厚形状を測定している状態を表わすアイコンＡ１と、眼鏡レンズのコバ端面に形成されるヤゲン形状をシミュレーションしている状態を表わすアイコンＡ２と、コバ端面を粗加工する状態を表わすアイコンＡ３と、コバ端面を仕上加工する状態を表わすアイコンＡ４と、コバ端面を鏡面加工する状態を表わすアイコンＡ５と、コバ端面をヤゲン溝掘り加工する状態を表わすアイコンＡ６と、コバ端面をヤゲン溝掘り・面取加工する状態を表わすアイコンＡ７と、コバ端面をヤゲン溝掘り・面取・鏡面加工する状態を表わすアイコンＡ８と、コバ端面をヤゲン加工する状態を表わすアイコンＡ９と、コバ端面をヤゲン・面取加工する状態を表わすアイコンＡ１０と、コバ端面をヤゲン・面取・鏡面加工する状態を表わすアイコンＡ１１と、眼鏡レンズの研削加工が終了したことを表わすアイコンＡ１２とを備えている。なお、アイコンＡ３〜Ａ１１は、コバ端面を加工する状態を表わすアイコンの群となっており、装置本体の機能等（例えば、鏡面加工手段の無い装置など）によって適宜のものが使用され得る。また、アイコンＡ１〜Ａ１２の図柄は、加工種類等の作業内容をオペレータが容易に認識し得る図柄であれば特に限定されるものではない。同様に、作業内容を文字化した表示としても良いし、図柄表示の各アイコンＡ１〜Ａ１２に添えて作業内容文字を表示しても良い。
【００９３】
ところで、これらのアイコンＡ１〜Ａ１２は、レンズ研削作業毎に設けられており、その一連の進行状況をオペレータが識別できるように、各アイコンＡ１〜Ａ１２に１対１で対応すると共に一連の進行状況に応じて点灯表示していく複数カーソル（インジケータ）Ｃ１〜Ｃ１２が『加工中』タブＴＢ２に設けられている。
【００９４】
カーソルＣ１〜Ｃ１２は、右眼レンズ進行状況表示用と左眼レンズ進行状況表示用とで上下２段にして別々に設けられているが、１段のみとして、右眼レンズ加工中か左眼レンズ加工中かの識別をするための表示を別途行うようにしても良い。さらに、カーソルＣ１〜Ｃ１２は、『加工中』タブＴＢ２以外のエリア、例えば、図２８に示すように、各タブＴＢ１〜ＴＢ４を一方に寄せてその余白部分に常時又は必要に応じて表示しても良いし、上下方向に隣接して表示しても良い。同様に、図２９に示すように、アイコンＡ１〜Ａ１２をメッセージ表示エリアＥ２の上方寄りに表示しても良い。
【００９５】
尚、これらアイコンＡ１〜Ａ１２及びカーソル（インジケータ）Ｃ１〜Ｃ１２は、作業者が設定していない加工については、その加工を視覚的象徴的に表現するアイコン及びそのアイコンＡ１〜Ａ１２に併設されたカーソル（インジケータ）Ｃ１〜Ｃ１２を表示させないようにすることもできる。
【００９６】
例えば、図２７（Ｂ）に示すように、眼鏡レンズのコバ端面の加工をヤゲン溝掘り・面取加工とし、鏡面加工は行わない設定とした場合、鏡面加工用のアイコンＡ５並びにヤゲン（山）加工に関するアイコンＡ８〜Ａ１１の表示色を灰色や白抜き等の比較的認識し難い色や太さとし（図面上では細線で表示）、実際に加工を行う他のアイコンＡ１〜Ａ４、並びにアイコンＡ６，Ａ７，Ａ１２の表示色をレイアウト背景色と同色若しくは他の明るい比較的認識し易い色や太さとする（図面上では太線で表示）ことによって設定状況の確認を容易としている。同様に、加工を行わないアイコンＡ８〜Ａ１１に対応するカーソルＣ５並びにカーソルＣ８〜Ｃ１１は表示させないことでより認識性を向上させている。尚、アイコン表示と同様に、カーソルＣ５，Ｃ８〜Ｃ１１の枠の太さを他のカーソルＣ１〜Ｃ４、並びにカーソルＣ６，Ｃ７，Ｃ１２の枠の太さよりも細く表示することも可能である。尚、これらアイコンＡ１〜Ａ１２とカーソル（インジケータ）Ｃ１〜Ｃ１２の設定環境並びに使用環境におけるより詳細な表示例は後述（図６０〜図６３参照）する。
【００９７】
メッセージ表示エリアＥ２には、各種エラーメッセージや警告メッセージなどが状態に応じて表示される。尚、装置内部品等の破損や被加工レンズの破損等の虞がある場合の警告メッセージなどの場合には、図３０に示すように、オペレータが認識し易いようにメッセージ表示エリアＥ２以外のエリアにはみ出して表示上で重畳させることも可能である。
【００９８】
数値表示エリアＥ３には、レイアウトデータの入力時には、図３１に示すように、眼鏡フレームの左右レンズ枠の幾何学中心間距離（ＦＰＤ値）、眼鏡装用者眼の瞳孔間距離（ＰＤ値）、ＦＰＤ値とＰＤ値との差である寄せ量の鉛直方向成分ＵＰ値（又はＨｌｐ値）、加工サイズ調整の各項目等が表示される。また、初期設定時には、図３２に示すように、上述したＦＰＤ，ＰＤ，ＵＰ，サイズの他に加工レンズの吸着中心が表示される。さらに、モニターデータ入力時には、図３３に示すように、眼鏡レンズの二次加工的な面取り加工や鏡面加工に関わる寸法関係の数値が表示される。
数値表示エリアＥ３には、レイアウトデータの入力時には、図２９に示すように、眼鏡フレームの左右レンズ枠の幾何学中心間距離（ＦＰＤ値）、眼鏡装用者眼の瞳孔間距離（ＰＤ値）、ＦＰＤ値とＰＤ値との差である寄せ量の鉛直方向成分ＵＰ値（又はＨｌｐ値）、加工サイズ調整の各項目等が表示される。
【００９９】
なお、レンズタイプにおいて、『単焦点』、『眼科処方』『キャタラクト』『ツボクリ』、『累進』『バイフォーカル』の種類を選択し各々の入力形式に従い、数値を入力した後、各々の眼鏡レンズに応じてヤゲン頂点軌跡（ヤゲン頂点位置）を求める場合、従来では一律に比率ヤゲン方式（コバ面を所定の割合で分割しヤゲン頂点位置を求める方式）を用い、コバ全周に亘ってヤゲン頂点軌跡を求めていた。
【０１００】
そのため、例えば、ＥＸレンズ等のコバ厚の大きさが動径方向に応じて異なるような眼鏡レンズの場合に、コバ厚が小さくなるような動径方向においてはヤゲン頂点位置がコバ厚に基づき変化するので、ヤゲン頂点軌跡を滑らかに描けない問題が生じ、作業者はレンズ種別に応じて比率ヤゲン方式でヤゲン頂点軌跡を立てるか、或いは球面ヤゲン方式（ヤゲン頂点軌跡がある球面上にあると考えてヤゲン頂点位置を演算で求める方式）でヤゲン頂点軌跡を立てるかを適宜選択しながら、どうやったら適切にヤゲン頂点軌跡を滑らかに描けるのか試行錯誤していた。
【０１０１】
そこで、本装置では、一律に比率ヤゲン方式でヤゲン頂点軌跡を求め、適宜球面ヤゲン方式を取り入れ、試行錯誤していた従来のヤゲン頂点軌跡の演算方法を改め、レンズタイプ及びコバ厚データに応じてヤゲン頂点軌跡の計算方法を予め分けておき、作業者の試行錯誤に係る労力を軽減するために、
（１）『単焦点』レンズの場合には、球面ヤゲン方式の演算方法、
（２）『眼科処方』『キャタラクト』『ツボクリ』レンズの場合には、球面ヤゲン方式の演算方法、
（３）『累進』レンズの場合には、比率ヤゲン方式の演算方法、『バイフォーカル』レンズの場合には、球面ヤゲン方式の演算方法、（４）ＥＸレンズの場合には、球面ヤゲン方式の演算方法（なお、一部にヤゲンチルト（ヤゲン頂点軌跡を所定の動径情報位置或いは軸を中心として傾斜させる方法）を含む）、でヤゲン頂点軌跡を求めるヤゲン頂点軌跡演算方法を取り入れている。
【０１０２】
状態表示エリアＥ４には、右眼用及び左眼用の眼鏡レンズのレイアウト画像や眼鏡レンズの最大、最小、最大及び最小以外の中間（任意）コバ周縁に形成されるヤゲン形状、コバ周縁を側面から見たレンズ側面形状等や、現実の加工状態に即した模式図等が表示される。
（２）システム起動からレンズ研削加工までの一連の制御
＜システム起動＞
レンズ研削加工装置２に設けられたメイン電源（図示せず）がオンされてシステムが起動すると、図３４に示すように、『レイアウト』タブＴＢ１を選択している状態となり、『加工中』タブＴＢ２と『加工中』タブＴＢ３とは表示されず、『メニュー』タブＴＢ４が表示される。
【０１０３】
また、『レイアウト』タブＴＢ１が選択されている起動時状態では、アイコン表示エリアＥ１は表示されず、メッセージ表示エリアＥ２、数値表示エリアＥ３、状態表示エリアＥ４が表示される。尚、メッセージ表示エリアＥ２には『フレームのデータを転送してください。』等のように、『データ要求』スイッチ７ｃを操作してのフレーム形状測定装置１で読み取った眼鏡フレームＦのレンズ形状情報（θｉ，ρｉ）の転送を要求するメッセージが表示される。従って、このデータ転送が行われていない起動時状態では、数値表示エリアＥ３と状態表示エリアＥ４とには数値等の具体的な加工に関するものは表示されていない。
【０１０４】
さらに、ファンクション表示部Ｈ１〜Ｈ６には、デフォルトの状態（又は、前回使用時の状態で後述するデータメモリ４２に記憶された詳細モード）が表示され、その各上部にはモード等の『レンズタイプ』、『コース』、『レンズ』、『フレーム』、『面取り』、『鏡面』が表示される。
【０１０５】
＜データ要求直後＞
次に、『データ要求』スイッチ７ｃを操作してフレーム形状測定装置１からレンズ研削加工装置２にデータが転送されると、図３５に示すように、メッセージ表示エリアＥ２には『レイアウトデータを転送してください。』等のレイアウト設定用メッセージが表示され、数値表示エリアＥ３の『ＦＰＤ』の欄に転送された数値（例えば、『７０．０』）が表示されると共に、『ＰＤ』の欄にカーソル式ポインタＰが表示される。状態表示エリアＥ４には、右眼マークＲＭと左眼マークＬＭ、右眼用フレーム形状ＦＲと左眼用フレーム形状ＦＬ、その幾何学中心マークＦＲｃとＦＬｃ、眼鏡フレームＦの全体形状Ｆ’、左右生地レンズの直径（例えば、『φ６４』）、ブリッジ幅（左右フレームの離間距離）である『ＤＢＬ』とその数値（例えば、『１５．５』）が表示される。尚、『ＦＰＤ』の数値はＤＢＬと玉幅とから算出される。
【０１０６】
＜レイアウト設定終了＞
この状態から、『▽』スイッチ７ｅを押すことによりカーソル式ポインタＰが位置している『ＰＤ』の欄に設定されている初期値が表示される。この数値は、『−＋』スイッチ７ｄを操作することによって変更され、その変更後（又は変更せずに初期値のまま）『▽』スイッチ７ｅを押すことによりカーソル式ポインタＰが『ＵＰ』の欄に移動し、以下、同様に『▽』スイッチ７ｅと『−＋』スイッチ７ｄとを操作して『ＵＰ』値並びに『サイズ』値を設定する。
【０１０７】
数値表示エリアＥ３の各数値が入力設定されると、図３６に示すように、状態表示エリアＥ４には、右眼マークＲＭと左眼マークＬＭ、右眼用フレーム形状ＦＲと左眼用フレーム形状ＦＬ、その幾何学中心マークＦＲｃとＦＬｃ、右眼用フレーム形状ＦＲと左眼用フレーム形状ＦＬとの各内部に位置する研削加工用の生地レンズを保持する吸着カップマークＭＲ，ＭＬが夫々表示される。また、状態表示エリアＥ４の下方にはファンクションキーＦ１〜Ｆ６の操作に伴う詳細モード設定に応じた加工コース分のアイコンＡ１〜Ａ１２が表示される。例えば、面取り加工を行わない場合には、アイコンＡ７〜Ａ１０は表示されず、面取り加工は行ってもその面取部の鏡面加工は行わない場合にはアイコンＡ９，Ａ１０は表示されない。
【０１０８】
また、表示されないアイコン（Ａ１〜Ａ１２）に対応させてカーソル（Ｃ１〜Ｃ１２）を表示しないように設定しても良い。
【０１０９】
例えば、面取り加工を行わない場合にはアイコンＡ７〜Ａ１０は表示されず、これに合わせて対応するカーソル（インジケータ）Ｃ７〜Ｃ１０は、上下２段とも表示されない。面取り加工は行っても、その面取り面の鏡面加工を行わない場合には、アイコンＡ９，Ａ１０は表示されず、これに合わせて対応するカーソル（インジケータ）Ｃ９，Ｃ１０は、上下２段とも表示されない。
【０１１０】
また、『サイズ』欄での数値設定後に『▽』スイッチ７ｅを押すとカーソル式ポインタＰは『ＦＰＤ』の欄に再び戻るため、数値の再設定も可能である。
＜レイアウトのその他の表示＞
（片眼データの場合）
『データ要求』スイッチ７ｃを操作してフレーム形状測定装置１からレンズ研削加工装置２に一方のフレームのみのデータが転送された場合には、図３７に示すように、メッセージ表示エリアＥ２には『レイアウトデータを設定してください。』等のレイアウト設定用メッセージが表示され、数値表示エリアＥ３の『ＦＰＤ』の欄にカーソル式ポインタＰが表示される。また、状態表示エリアＥ４には、右眼マークＲＭと左眼マークＬＭ、右眼用フレーム形状ＦＲと左眼用フレーム形状ＦＬ、その幾何学中心マークＦＲｃとＦＬｃ、眼鏡フレームＦの片眼形状Ｆ”、左右生地レンズの直径（例えば、『φ６４』）、ブリッジ幅（左右フレームの離間距離）である『ＤＢＬ』が表示される。尚、『ＤＢＬ』並びに『ＦＰＤ』等の数値はデータがないことから表示されないが、デフォルトによって入力・選択することができる。
【０１１１】
（パターンデータの場合）
『データ要求』スイッチ７ｃを操作してフレーム形状測定装置１からレンズ研削加工装置２に送信されるレンズ形状情報（θｉ，ρｉ）が型板或いは玉型モデル等に基づく玉型形状データの場合には、図３８に示すように、メッセージ表示エリアＥ２には『レイアウトデータを設定してください。』等のレイアウト設定用メッセージが表示され、数値表示エリアＥ３の『ＦＰＤ』の欄にカーソル式ポインタＰが表示される。また、状態表示エリアＥ４には、右眼マークＲＭと左眼マークＬＭ、右眼用フレーム形状ＦＲと左眼用フレーム形状ＦＬ、その幾何学中心マークＦＲｃとＦＬｃ、レンズ形状情報（θｉ，ρｉ）が型板或いは玉型モデル等に基づくものであることを示す玉型形状Ｋ、左右生地レンズの直径（例えば、『φ６４』）、ブリッジ幅（左右フレームの離間距離）である『ＤＢＬ』が表示される。尚、『ＤＢＬ』並びに『ＦＰＤ』等の数値はデータがないことから表示されないが、デフォルトによって入力・選択することができる。
【０１１２】
＜バイフォーカルレンズ選択の場合＞
ファンクションキーＦ１を操作して『レンズタイプ』で『バイフォーカルレンズ』を選択した場合には、図４０に示すように、メッセージ表示エリアＥ２には『レイアウトデータを設定してください。』等のレイアウト設定用メッセージが表示される。数値表示エリアＥ３には、『ＦＰＤ』の欄に転送された数値（例えば、『７０．０』）が表示され、カーソル式ポインタＰが『ＨＰＤ』の欄に表示される。尚、数値表示エリアＥ３の『ＨＰＤ』の欄及び『Ｈｌｐ』の欄は左右に分割され、カーソル式ポインタＰはその分割された右眼用の欄（入力部）に表示される。この左右分割状態は『累進』を選択した場合も同様である。また、状態表示エリアＥ４には、右眼マークＲＭと左眼マークＬＭ、右眼用フレーム形状ＦＲと左眼用フレーム形状ＦＬ、その幾何学中心マークＦＲｃとＦＬｃ、右眼用小玉イメージＦＲｓと左眼用小玉イメージＦＬｓ、眼鏡フレームＦの全体形状Ｆ’、左右生地レンズの直径（例えば、『φ６４』）、ブリッジ幅（左右フレームの離間距離）である『ＤＢＬ』が表示される。尚、『ＨＰＤ』及び『Ｈｌｐ』の設定方法に関しては上記と同様に『−＋』スイッチ７ｄと『▽』スイッチ７ｅとを使用して行う。
【０１１３】
＜枠替コース選択の場合＞
以前に使用していた既存のレンズを利用して眼鏡フレームＦのみを替えるためにファンクションキーＦ２を操作して『コース』で『枠替え』を選択した場合には、図４０に示すように、メッセージ表示エリアＥ２には『レイアウトデータを設定してください。』等のレイアウト設定用メッセージが表示される。数値表示エリアＥ３には、レンズ形状情報（θｉ，ρｉ）は既に受信していることから、『ＦＰＤ』の欄に転送された数値（例えば、『７０．０』）が表示され、カーソル式ポインタＰが『ＰＤ』の欄に表示される。状態表示エリアＥ４には、右眼マークＲＭと左眼マークＬＭ、右眼用フレーム形状ＦＲと左眼用フレーム形状ＦＬ、その幾何学中心マークＦＲｃとＦＬｃ、右眼レンズデータに基づく右眼レンズデータＲｒ、眼鏡フレームＦの全体形状Ｆ’が表示される。これにより、既存のレンズが新たな枠替え用の眼鏡フレームＦに利用できるか否かを認識することができる。
（３）加工時の液晶表示器８の表示状態
＜右眼レンズ加工開始（コバ厚測定）の場合＞
各種数値設定が終了して『右』スイッチ６ｃを操作すると、図４１に示すように、『加工中』タブＴＢ２が表示されると共に背景色も切り替わって加工中シート状態となる。また、『加工中』タブＴＢ２内には加工モードに応じてカーソルＣ１〜Ｃ１２が表示され、各カーソルＣ１〜Ｃ１２の下方のアイコン表示エリアＥ１には同様に加工モードに応じてアイコンＡ１〜Ａ１２が表示される。数値表示エリアＥ３には設定（決定）された各種の数値が表示される。状態表示エリアＥ４には、右眼マークＲＭと左眼マークＬＭ、右眼用フレーム形状ＦＲと左眼用フレーム形状ＦＬ、その幾何学中心マークＦＲｃとＦＬｃ、研削加工用の生地レンズを保持する吸着カップマークＭＲ，ＭＬ、眼鏡フレームＦの全体形状Ｆ’、左右生地レンズの直径『φ６４』、『ＤＢＬ』とその数値『１５．５』が表示される。
【０１１４】
この際、右眼用列のカーソルＣ１が点灯（他のカーソルＣ２〜Ｃ１２と配色を異ならせる）し、これにより、右眼用レンズのコバ厚測定中であることを容易に認識することができる。また、右眼用レンズのコバ厚測定中（『加工中』の工程中）であっても、『レイアウト』タブＴＢ１を指定することで左眼用レンズのレイアウト設定をすることができるが、右眼用列のカーソルＣ１は『加工中』のレイアウトシート画面の背景色（例えば、緑色）で表示されているので、右眼用レンズのコバ厚測定中であることを容易に認識することができる。
【０１１５】
尚、例えば、加工工程を認識させる手段としては、例えば、図４２に示すように、メッセージ表示エリアＥ２にコバ厚の測定中であることを文字で示す『測定中』等の表示をすると共に、その『測定中』の周囲を測定状況に応じて時計回りで順次延びるレベルインジケータＭＩとしたり、アイコンＡ１の表示状態（色）を反転させたり、眼鏡フレームＦの全体形状Ｆ’を図示左端から右端へと加工状況に応じて移動させたりするなど、適宜のレベル表示を採用することができる。また、図４３に示すように、レベルインジケータＭＩとカーソルＣ１〜Ｃ１２とを併用しても良い。
【０１１６】
＜コバ厚確認の場合＞
コバ厚測定が終了すると、図４４に示すように、カーソルＣ２が点灯すると共に、数値表示エリアＥ３の表示が『サイズ』欄及び『面取幅』欄に切り替わり、その各測定数値（例えば、『＋０．０５』，『７０．０』）、『ヤゲンカーブ』と『フレームカーブ』及びその数値（例えば、『４．５』，『５．２』）が表示される。また、状態表示エリアＥ３には、右眼マークＲＭと左眼マークＬＭの他に、その左半分に、右眼レンズ形状ＲＲ又は右眼用フレーム形状ＦＲ、幾何学中心マークＦＲｃ、光学中心マークＲｏ、上レンズ幅ＲＲｕ，下レンズ幅ＲＲｄ，右レンズ幅ＲＲｒ，左レンズ幅ＲＲｌ、コバ厚最小位置マークＭｔｎ、コバ厚最大位置マークＭｔｃ、コバ厚確認任意位置マークＭｃｆが表示されると共に、その右半分に、コバ厚最小位置マークＭｔｎに対応した位置でのヤゲン形状Ｙｔｎとその位置及びコバ厚の数値、コバ厚最大位置マークＭｔｃに対応した位置でのヤゲン形状Ｙｔｃとその位置及びコバ厚の数値、コバ厚確認任意位置マークＭｃｆに対応した位置でのヤゲン形状Ｙｃｆとその位置及びコバ厚の数値が表示される。
【０１１７】
また、ファンクションキーＦ４によって眼鏡フレームＦの種類として、何れかの『溝掘り』が選択されている場合には、図４５に示すように、コバ厚最小位置マークＭｔｎ，コバ厚最大位置マークＭｔｃ，コバ厚確認任意位置マークＭｃｆにそれぞれ対応した位置での溝掘り形状とその位置及びコバ厚の数値（溝深さや溝幅でも良い）が表示される。
【０１１８】
尚、溝深さや溝幅は、眼鏡レンズの種類（プラスチックレンズやマイナスレンズ等）や玉型形状のレンズ形状情報（θｉ，ρｉ）の範囲（例えば、眼鏡フレームＦの耳掛側か鼻当側に相当する動径角度範囲）で異なるように表示され、溝掘り加工される。
【０１１９】
さらに、ファンクションキーＦ５によって面取り加工を行う場合には、図４６に示すように、コバ厚最小位置マークＭｔｎ，コバ厚最大位置マークＭｔｃ，コバ厚確認任意位置マークＭｃｆにそれぞれ対応した位置でのヤゲン形状と面取り加工とを組み合わせた状態での断面形状が表示される。
【０１２０】
その上、『溝掘り』及び面取り加工の両方を行う場合には、図４７に示すように、コバ厚最小位置マークＭｔｎに対応した位置でのヤゲン形状と面取り形状とを組み合わせた状態での断面形状、並びに、コバ厚最大位置マークＭｔｃ及びコバ厚確認任意位置マークＭｃｆに対応した位置での溝掘り形状と面取り形状とを組み合わせた位置及びコバ厚の数値（溝深さや溝幅でも良い）が表示される。なお、これらの表示は、例えば、ヤゲンと溝との両方がフレーム部位によって異なるなど、眼鏡フレームＦの種類の変化に応じて断面形状が異なって表示するなどのように、上述したものに限定されるものではない。
【０１２１】
この際、被加工レンズの面取り幅を眼鏡フレームＦの玉型形状データとしてのレンズ形状情報（θｉ，ρｉ）の動径角度毎に変更することができるので、コバ厚最小位置Ｍｔｎでの面取り形状、コバ厚最大位置マークＭｔｃでの面取り形状及びコバ厚確認任意位置マークＭｃｆでの面取り形状について、容易に把握することができる。
【０１２２】
また、状態表示エリアＥ３の下方には、ファンクションキーＦ１，Ｆ２，Ｆ３，Ｆ６での操作が可能となるように、『ヤゲン位置』表示モードの『全体』、右眼レンズ形状ＲＲを表示上で回転させる『回転』モードの『−』（反時計回り）『＋』（時計回り）、回転後の表示状態を元に戻すための『戻す』がファンクション表示部Ｈ１，Ｈ２，Ｈ３，Ｈ６に表示される。
【０１２３】
＜右眼レンズ加工終了の場合＞
生地レンズからレンズ形状情報（θｉ，ρｉ）に基づく右眼レンズの研削加工が終了すると、図４８に示すように、右眼用列の全てのカーソルＣ１〜Ｃ１２が点灯すると共に、数値表示エリアＥ３のカーソル式ポインタＰが『サイズ』欄に位置する。また、状態表示エリアＥ４の右眼マークＲＭが反転表示すると共に右眼レンズ形状ＲＲが点線で表示される。
【０１２４】
＜左眼レンズ加工の場合＞
右眼レンズ加工が終了してヤゲン形状等を確認した後、『左』スイッチ６ｂを操作し、左眼レンズの枠形状研削加工が終了すると、図４９に示すように、左眼用列のカーソルＣ２が点灯すると共に、数値表示エリアＥ３の表示が『サイズ』欄及び『面取幅』欄に切り替わり、その各測定数値（例えば、『＋０．０５』，『７０．０』）、『ヤゲンカーブ』と『フレームカーブ』及びその数値（例えば、『４．５』，『５．２』）が表示される。また、状態表示エリアＥ３には、その左半分に、左眼マークＬＭ、左眼レンズ形状ＬＲ又は左眼用フレーム形状ＦＬ、幾何学中心マークＦＬｃ、光学中心マークＬｏ、上レンズ幅ＲＬｕ，下レンズ幅ＲＬｄ，右レンズ幅ＲＬｒ，左レンズ幅ＲＬｌ、コバ厚最小位置マークＭｔｎ、コバ厚最大位置マークＭｔｃ、コバ厚確認任意位置マークＭｃｆが表示されると共に、その右半分に、コバ厚最小位置マークＭｔｎに対応した位置でのヤゲン形状Ｙｔｎ’とその位置及びコバ厚の数値、コバ厚最大位置マークＭｔｃに対応した位置でのヤゲン形状Ｙｔｃ’とその位置及びコバ厚の数値、コバ厚確認任意位置マークＭｃｆに対応した位置でのヤゲン形状Ｙｃｆ’とその位置及びコバ厚の数値が表示される。
【０１２５】
また、右眼レンズ加工時のヤゲン形状Ｙｔｎ，Ｙｔｃ，Ｙｃｆが（データ的に反転した状態で）左眼レンズ加工時のヤゲン形状Ｙｔｎ’，Ｙｔｃ’，Ｙｃｆ’と色違い（図面上では線の太さを変えている）で比較可能となるように表示される。
【０１２６】
この際、左右両眼レンズのコバ端面における溝掘り形状、面取り形状、溝掘りと面取り形状とを組み合わせた各シミュレーションを行ってコバ端面形状を比較したい場合には、図５０〜図５２に示すように、右眼レンズ加工時と同様の表示が左右比較可能状態で表示される。
【０１２７】
［加工済み後の液晶表示器８の表示状態］
＜確認の場合＞
両眼レンズの加工が終了した後に『右』スイッチ６ｃや『左』スイッチ６ｂを操作したり、次の眼鏡フレームＦの加工を開始する際に『右』スイッチ６ｃや『左』スイッチ６ｂを操作すると、図５３に示すように、『加工済』タブＴＢ３が表示されると共に背景色も切り替わって加工済シート状態となる。
【０１２８】
尚、この際の表示状態は、例えば、『右』スイッチ６ｂを操作した場合には、図の如く『加工済』タブＴＢ３の表示と背景色が異なるのみで、それ以外の表示は図４８と同一である。
【０１２９】
なお、図５３の『加工中』タブＴＢ２から『加工済』タブＴＢ３に変わるときに左右の眼鏡レンズ（Ｒ，Ｌ）の加工状況を示すカーソル（インジケータ）Ｃ１〜Ｃ１２と、加工種別を眼鏡レンズや砥石の形状等のキャラクタ表示したアイコンＥ１はそのまま表示されており、タブＴＢ１〜ＴＢ４を変えても表示がされていることで『レイアウト』『加工中』『加工済』『メニュー』のいずれの作業をしていても、現在眼鏡レンズの左右のどちらが加工のどの段階まで進行しているのか確認することができる。
【０１３０】
［エラー等の表示例］
＜レイアウト設定時＞
レイアウト設定中にエラー表示を行う場合としては、図５４に示すように、レイアウト設定変更を促すものが考えられる。また、この際、エラー内容に応じてファンクション表示部Ｈ１〜Ｈ６に、エラー回避（若しくは、了解等）の指令をファンクションキーＦ１〜Ｆ６で行うための表示がなされる。
【０１３１】
＜加工中＞
レンズ研削加工中にエラー表示を行う場合としては、図５５に示すように、被加工レンズ若しくはレンズ研削加工装置２の構成部品の破損等の虞があることに起因する保護機能の作動に伴う表示や、図５６に示すように、レイアウト設定に基づく加工を実際に行う際に発生（検出）したものが考えられる。尚、図５６に示したエラーに基づいて了解指令をファンクションキー（この場合にはファンクションキーＦ１）で行うと、図５７に示すように、エラー表示のみが非表示状態となると同時に、カーソル式ポインタＰが表示される。
【０１３２】
［データ保存の表示例］
上述した両眼のレンズ加工が終了すると、図５８に示すように、再び『レイアウト』タブＴＢ１が表示されると共に背景色も切り替わってレイアウト設定シート状態となる。
【０１３３】
この状態では、例えば、『ＦＰＤ』等の数値データや『レンズタイプ』等の加工モードデータの保存の有無を確認するメッセージが表示されると共に、そのメッセージに基づく応答操作をファンクションキーＦ１〜Ｆ６（この場合は、ファンクションキーＦ４，Ｆ５は未使用）によって行うことができるように、ファンクション表示部Ｈ１〜Ｈ６に内容が表示される。
【０１３４】
そして、この状態から『保存』を選択すると（ファンクションキーＦ２を操作すると）、図５９に示すように、データ保存のための保存番号（番地）が表示されると共に、その保存番号をファンクションキーＦ１，Ｆ２で変更するための案内（『↑』と『↓』）並びに保存番号決定をファンクションキーＦ３で指示するための案内（『決定』）がファンクション表示部Ｈ１〜Ｈ３に表示され、一連のレンズ加工ルーチンが終了する。
【０１３５】
これによって、例えば、『ＦＰＤ』等の数値データや『レンズタイプ』等の加工モードデータを変更した場合であってもデータは保存されており、また、今まで変更したデータの履歴をみることもでき、データ処理での重複入力や入力ミス等を防止することができる。
［データの呼び出し］
図６０に示すように、レイアウト画面が表示された状態でメモリースイッチを押すと、「メモリの操作」の画面が表示される。「Ｆ３」のスイッチで「呼出」を選択する。データ呼び出しメッセージ画面が表示されるので、「Ｆ１」または「Ｆ２」スイッチで呼び出したいジョブ番号を入力し、「Ｆ６」スイッチで決定する。
【０１３６】
データが正常に呼び出されたときは、メッセージ画面が消え、選択したジョブ番号で記憶されていたデータがレイアウト画面上に表示される。
【０１３７】
呼び出しに異常があった場合、メッセージが表示されるので、その表示に従い、操作する。
【０１３８】
呼び出し作業を途中で中断する場合は、「Ｆ６」スイッチを押すと元の画面に戻る。
［データの消去］
図６１に示すように、「データの呼び出し」で、消去したいデータをメモリから呼び出す。
【０１３９】
データが表示されたら、スイッチを押し、メモリ操作メッセージ画面を表示させる。「データの消去」を選択する。
【０１４０】
データ消去メッセージ画面が表示されるので、消去を実行するときは「Ｆ１」スイッチを、消去作業を中止したいときは「Ｆ２」スイッチを押す。
【０１４１】
データが正常に消去されたときは、メッセージ画面が消え、選択したジョブ番号で記憶されていたデータがレイアウト画面上から消去される。
【０１４２】
消去に異常があった場合、メッセージが表示されるので、その表示に従い、操作する。
【０１４３】
消去作業を途中で中断する場合は、「Ｆ２」スイッチを押すと元の画面に戻る。
【０１４４】
［加工の応用例及びその際のアイコンとカーソルの表示例］
アイコンＡ１〜Ａ１２及びカーソル（インジケータ）Ｃ１〜Ｃ１２は、作業者が設定しない加工については、例えば、アイコンＡ１〜Ａ１２はその設定しない加工を視覚的象徴的にて表わし、設定しない加工のアイコンＡ１〜Ａ１２に対応したカーソル（インジケータ）Ｃ１〜Ｃ１２は表示しないこともできる。また、作業工程途中で変更又は追加した場合には、図６３〜図６６に示すように、その状況等に応じて表示状態を変化させることができる。尚、図６３〜図６６において、特に各図（Ｂ）以降に関しては、便宜上符号を省略（各図（Ａ）に付されていないものを除く）して図示する。
【０１４５】
＜溝掘り加工及び面取加工の場合＞
例えば、溝掘り加工及び面取加工のみ実行し、その他のヤゲン加工や鏡面加工を実行しない場合について説明すると、まずファンクションキーＦ１の『レンズタイプ』で『単焦点』の項目にカーソルを移動させて選択し、ファンクションキーＦ２の『コース』で『オート』を選択し、ファンクションキーＦ３の『レンズ』で『プラ』を選択し、ファンクションキーＦ４の『フレーム』で『メタル』を選択し、ファンクションキーＦ５の『面取り』で『中』を選択し、ファンクションキーＦ６の『鏡面』で『なし』を選択・実行すると、次の加工が開始されるときに初めて設定が完了する。
【０１４６】
この状態におけるアイコンＡ１〜Ａ１２及びカーソルＣ１〜Ｃ１２は、図２７（Ｂ）のように表示される。作業者は、この画面で再度設定内容を確認することができ、誤った設定を行った場合には加工開始時にストップキー６ｈを押すことで誤った研削加工を行わずに済み、眼鏡レンズを無駄にすることがなくなる。
【０１４７】
この状態から、加工が開始されると、図６３（Ａ）に示すように、先ず、右眼用眼鏡レンズの作業工程がコバ厚測定まで進んだことを表わすように、カーソルＣ１が点灯する。コバ厚測定開始メッセージを受けてコバ厚測定アイコンに対応したカーソル（インジケータ）が点灯するようになされる。同様に、各作業工程のカーソル（インジケータ）は、開始メッセージを受けて更新するようになっている。
【０１４８】
カーソルＣ２〜Ｃ４、Ｃ６，Ｃ７，Ｃ１２は、図６３（Ｂ）〜図６３（Ｇ）に示すように、右眼用眼鏡レンズの作業工程がヤゲンシミュレーション（図６３（Ｂ））、粗加工（図６３（Ｃ））、平仕上げ（図６３（Ｄ））、溝掘加工（図６３（Ｅ））、面取加工（図６３（Ｆ））、加工完了（図６３（Ｇ））の各工程を経てきたことをその工程に応じて一目で分かるように順次点灯して視覚的に象徴的に表現される。
【０１４９】
なお、作業者が行いたい加工種別のアイコンＡ１〜Ａ１２のみ点灯され、行わない加工については灰色表示され、作業者が誤認しないようになされる。また、加工中に『レイアウト』画面に切り替えた場合には、カーソル（インジケータ）Ｃ１〜Ｃ１２は進行せずに表示される。
【０１５０】
＜試し摺りの場合＞
図６４（Ａ）〜図６４（Ｂ）は、試し摺りの場合を示す。モニターコースの場合、モニター画面で止まった後（図６４（Ａ））、『再仕上／試』スイッチ６ｆを押すと粗加工及び仕上加工が行われ、仕上加工のカーソルＣ４が点灯したままモニター画面で止まる。もう一度、『再仕上／試』スイッチ６ｆを押しても、カーソル表示状態は変化しない。また加工をスタートしてもカーソル表示はそのままで、鏡面加工開始メッセージを受けてカーソル表示が更新される。なお、オートコースの場合には、上述した通常のアイコン表示並びにカーソル表示が更新される。
【０１５１】
＜加工追加再仕上げの場合＞
図６５（Ａ）〜図６５（Ｆ）は、右眼用レンズに溝掘り加工及び面取加工を行った後に鏡面加工を追加設定して再仕上げを行う場合を示している。
【０１５２】
上述した図６３の工程で右眼用レンズに溝掘り加工及び面取加工を行った後、鏡面加工を追加設定して再仕上げを行う場合、図６５（Ａ）の溝掘り加工及び面取加工状態で鏡面加工が追加されて『再仕上／試』スイッチ６ｆが押されると、図６５（Ｂ）に示すように、加工済み工程に対応するカーソルＣ１〜Ｃ３及びカーソルＣ６，Ｃ７の表示が取り消されると同時に追加加工に必要なカーソルＣ４，Ｃ５，Ｃ８が表示される。
【０１５３】
尚、図６５（Ａ）に示すように、追加指定した時点でアイコンＡ５，Ａ８の点灯状態（表示色若しくは枠線太さ）を替えて追加加工の確認をさせた後に、『再仕上／試』スイッチ６ｆを押した時点で図６５（Ｂ）に示すカーソル表示切り替えを行っても良いし、『再仕上／試』スイッチ６ｆを押した時点で図６５（Ｂ）に示すアイコン表示並びにカーソル表示切り替えとしても良い。
【０１５４】
この状態から再加工を開始すると、図６５（Ｃ）〜図６５（Ｆ）に示すように、仕上げ加工開始（図６５（Ｃ））、鏡面加工開始（図６５（Ｄ））、面取部鏡面加工開始（図６５（Ｅ））、加工終了（図６５（Ｆ））の各工程を経てきたことをその工程に応じて一目で分かるように順次点灯して視覚的に象徴的に表現される。
【０１５５】
＜ヤゲン溝掘り加工からヤゲン加工に変更した場合＞
図６６（Ａ）〜図６６（Ｄ）は、図６５で示した右眼レンズの再仕上げ加工終了後、ヤゲン溝掘り加工からヤゲン加工に変更して左眼レンズの研削加工を行った場合を示す。
【０１５６】
上述した図６５の右眼再仕上げ加工が終了（図６６（Ａ））した後、左眼レンズの研削加工をヤゲン溝掘り加工からヤゲン加工に変更すると、右眼レンズに関しては、溝掘り・面取・鏡面加工であったことから、該当する全加工に対応するカーソルＣ１〜Ｃ８及びカーソルＣ１２が点灯（図６６（Ｂ）すると共に、左眼レンズ側のカーソルＣ１〜Ｃ５及びカーソルＣ９〜Ｃ１２の表示と、ヤゲン・面取・鏡面加工用のアイコン表示切替が行われる（図６６（Ｃ））。
【０１５７】
この状態から右眼レンズ加工が開始（図６６（Ｃ））され、上記と同様にして各工程に応じて一目で分かるように順次点灯して視覚的に象徴的に表現（図６６（Ｄ））される。
【０１５８】
［制御回路の実施例２］
図６８は、レンズ研削加工装置２の他の演算制御回路４０を示したものである。
【０１５９】
ＣＰＵを有する演算制御回路４０には、操作パネル６，記憶手段としてのＲＯＭ４１、記憶手段としてのデータメモリ４２、ＲＡＭ４３が接続されていると共に、補正値メモリ４４が接続されている。また、演算制御回路４０には、表示用ドライバ４５を介して液晶表示器８が接続され、パルスモータドライブ４６を介して研削加工手段の各種駆動モータ（パルスモータ）４７ａ…４７ｎが接続されていると共に、通信ポート４８を介して図１のフレーム形状測定装置１が接続されている。
【０１６０】
演算制御回路４０は、加工制御開始後に、フレーム形状測定装置１からのデータ読み込みや、データメモリ４２の記憶領域ｍ１〜ｍ８に記憶されたデータの読み込みがある場合には、図６９に示すように、時分割による加工制御とデータの読み込みやレイアウト設定の制御を行う。
【０１６１】
即ち、時間ｔ１，ｔ２間の期間をＴ１、時間ｔ２，ｔ３間の期間をＴ２、時間ｔ３，ｔ４間の期間をＴ３、・・・、時間ｔｎ−１，ｔｎ間の期間をＴｎとすると、期間Ｔ１，Ｔ３…Ｔｎの間で囲う制御が行われ、データの読み込みやレイアウト設定の制御を期間Ｔ２，Ｔ４…Ｔｎ−１の間に行う。従って、被加工レンズの研削加工中に、次の複数の玉型形状データの読み込み記憶や、データの読み出しとレイアウト設定（調整）等を行うことができ、データ処理の作業効率を格段に向上させることができる。
【０１６２】
ＲＯＭ４１にはレンズ研削加工装置２の動作制御のための種々のプログラムが記憶され、データメモリ４２には複数のデータ記憶領域が設けられている。また、ＲＡＭ４３には、現在加工中の加工データを記憶する加工データ記憶領域４３ａ、新たなデータを記憶する新データ記憶領域４３ｂ、フレームデータや加工済みデータ等を記憶するデータ記憶領域４３ｃが設けられている。
【０１６３】
尚、データメモリ４２には、読み書き可能なＦＥＥＰＲＯＭ（フラッシュＥＥＰＲＯＭ）を用いることもできるし、メインの電源がオフされても内容が消えないようにしたバックアップ電源使用のＲＡＭを用いることもできる。
【０１６４】
次に、この様な構成の演算制御回路４０を有するレンズ研削加工装置の作用を説明する。
【０１６５】
スタート待機状態からメイン電源がオンされると、演算制御回路４０はフレーム形状測定装置１からデータ読み込みがあるか否かを判断する。
【０１６６】
即ち、演算制御回路４０は、操作パネル６の『データ要求』スイッチ７ｃが押されたか否かが判断される。そして、『データ要求』スイッチ７ｃが押されてデータ要求があれば、フレーム形状測定装置１からレンズ形状情報（θｉ，ρｉ）のデータをＲＡＭ４３のデータ読み込み領域４３ｂに読み込む。この読み込まれたデータは、データメモリ４２の記憶領域ｍ１〜ｍ８のいずれかに記憶（記録）されると共に、図３５に示したレイアウト画面が液晶表示器８に表示される。
【０１６７】
また、『右』スイッチ６ｃ又は『左』スイッチ６ｂが押されて加工開始命令があった場合には、パルスモータドライバ４６を介して駆動モータ４７ａ〜４７ｎを作動制御して、加工制御を開始すると同時に演算制御回路４０がコバ厚測定、ヤゲン設定、粗加工（ヤゲン加工を含む）、仕上加工を順次行なう。
【０１６８】
以上説明した様に、この発明の実施の形態の眼鏡レンズ研削加工装置のメッセージ表示装置は、眼鏡フレームの玉型形状データに基づき眼鏡レンズを研削加工するために必要なメニューメッセージやエラーメッセージ等の各種メッセージを記憶するメッセージ記憶部（設定データメモリ３３）と、該メッセージ記憶部（設定データメモリ３３）に記憶されたメッセージを表示するためのメッセージ表示手段（液晶表示器８）を備えている。また、この眼鏡レンズ研削加工装置のメッセージ表示装置は、  予め記憶されたメッセージのうちで抜け落ちているものがあるかどうか判断し、抜け落ちているメッセージがある場合に、装置が使用される国の言語に翻訳せずに世界共通言語のままメッセージを表示するように言語処理する演算処理手段（第１の演算制御回路３１）を有する。
【０１６９】
この構成によれば、例えばメッセージ内容がバージョンアップしたような場合に、そのメッセージ内容のみその国の言語に翻訳せずに、例えば世界共通語である英語のままそのメッセージを表示するように、その国の言語と英語との少なくとも二種類の言語でのメッセージを混在して表示可能にすることができる。この様に設定することで、眼鏡店の技術者が装置のエラーメッセージの内容が分からない場合でも、サービス会社の保守点検担当者には共通語の分かる者を配置しておくことで、保守点検担当者は原文のエラーメッセージに基づいて保守点検を行うことができる。しかも、レンズ研削加工装置２を設置している眼鏡店が多い場合でも、保守点検担当者が容易に対応できる。
【０１７０】
更に、この発明の実施の形態の眼鏡レンズ研削加工装置のメッセージ送受信方法は、眼鏡フレームの玉型形状データに基づき眼鏡レンズを研削加工するために必要なメニューメッセージやエラーメッセージ等の各種メッセージを記憶するメッセージ記憶部（設定データメモリ３３）と、該メッセージ記憶部（設定データメモリ３３）に記憶されたメッセージを表示するためのメッセージ表示手段を備えた端末装置を有する。このメッセージ表示手段を備えた端末装置は、表示装置１０１を備える端末装置１００であっても良いし、液晶表示器８を備える制御回路３０であっても良い。そして、通信回線手段（インターネット１０３）を介して端末装置間（端末装置１０２，１００、又は端末装置１０２と制御回路３０間）でメッセージの更新データを送受信する様にしている。また、この発明の眼鏡レンズ研削加工装置のメッセージ送受信方法は、予め記憶されたメッセージのうちで抜け落ちているものがあるかどうか判断する段階と、抜け落ちているメッセージがある場合に、装置が使用される国の言語に翻訳せずに世界共通言語のままメッセージを表示するように言語処理する段階とを有する。
【０１７１】
この構成によれば、例えばレンズ研削加工装置２の表示手段（液晶表示器８）に表示させるメッセージ内容をバージョンアップしたい場合、このメッセージ内容を端末装置１０２及び通信回線（インターネット１０３）を介してレンズ研削加工装置２が配置されている多数の眼鏡店に略同時に送信して、この送信内容を多数の眼鏡店の端末装置（端末装置１００又は制御回路３０の第１の演算制御回路３１）に受信させて同時且つ直ちに更新させることができる。
【０１７２】
しかも、例えばメッセージ内容がバージョンアップしたような場合に、そのメッセージ内容のみその国の言語に翻訳せずに、例えば世界共通語である英語のままそのメッセージを表示するように、その国の言語と英語との少なくとも二種類の言語でのメッセージを混在して表示可能にすることができる。この様に設定することで、眼鏡店の技術者が装置のエラーメッセージの内容が分からない場合でも、サービス会社の保守点検担当者には共通語の分かる者を配置しておくことで、保守点検担当者は原文のエラーメッセージに基づいて保守点検を行うことができる。しかも、レンズ研削加工装置２を設置している眼鏡店が多い場合でも、保守点検担当者が容易に対応できる。
【０１７３】
【発明の効果】
本発明によれば、メッセージ内容の翻訳が抜け落ちている箇所がないかどうか判断し、抜け落ちていた場合に、装置が使用される国の言語に翻訳せずに、世界共通言語である、例えば英語等のままメッセージを表示することができる。
【図面の簡単な説明】
【図１】本発明の実施の形態に係るレイアウト表示装置を備えるレンズ研削加工装置とフレーム形状測定装置との関係を示す説明図である。
【図２】本発明の実施の形態に係るレンズ研削加工装置の正面図である。
【図３】本発明の実施の形態に係るレンズ研削加工装置の背面図である。
【図４】本発明の実施の形態に係るレンズ研削加工装置の右側面図である。
【図５】本発明の実施の形態に係るレンズ研削加工装置の平面図である。
【図６】本発明の実施の形態に係るレンズ研削加工装置の底面図である。
【図７】本発明の実施の形態に係るレンズ研削加工装置の斜視図である。
【図８】本発明の実施の形態に係るレンズ研削加工装置のカバーを開けた状態の平面図である。
【図９】本発明の実施の形態に係るレンズ研削加工装置のカバーを開けた状態の斜視図である。
【図１０】（Ａ）は第１の操作パネルの拡大説明図、（Ｂ）は第２の操作パネルの拡大説明図である。
【図１１】加工モードの一覧を示す図表である。
【図１２】詳細加工モードを変更する場合の表示例を示す液晶表示器の正面図である。
【図１３】ユーザー使用可能モードの場合の表示例を示す液晶表示器の正面図である。
【図１４】サービスマン使用可能モードの場合の表示例を示す液晶表示器の正面図である。
【図１５】設定・設定変更モードにおける詳細メニュー表示エリアの画面表示状態を示す液晶表示器の正面図である。
【図１６】言語設定詳細モードにおける詳細メニュー表示エリアの画面表示状態を示す液晶表示器の正面図である。
【図１７】Ｆスイッチ初期設定モード選択時における詳細メニュー表示エリアの画面表示状態を示す液晶表示器の正面図である。
【図１８】Ｆスイッチ初期設定詳細モードにおける詳細メニュー表示エリアの画面表示状態を示す液晶表示器の正面図である。
【図１９】ポップアップ表示設定モード選択時における詳細メニュー表示エリアの画面表示状態を示す液晶表示器の正面図である。
【図２０】ポップアップ表示設定詳細モードにおける詳細メニュー表示エリアの画面表示状態を示す液晶表示器の正面図である。
【図２１】レイアウト初期値設定モード選択時における詳細メニュー表示エリアの画面表示状態を示す液晶表示器の正面図である。
【図２２】レイアウト初期値設定詳細モードにおける詳細メニュー表示エリアの画面表示状態を示す液晶表示器の正面図である。
【図２３】調整モードにおける詳細メニュー表示エリアの画面表示状態を示す液晶表示器の正面図である。
【図２４】メンテナンスモードにおける詳細メニュー表示エリアの画面表示状態を示す液晶表示器の正面図である。
【図２５】サービスマンモードにおける詳細メニュー表示エリアの画面表示状態を示す液晶表示器の正面図である。
【図２６】サービスマン詳細モードにおける詳細メニュー表示エリアの画面表示状態を示す液晶表示器の正面図である。
【図２７】（Ａ）はアイコンとカーソルとの関係を示す拡大説明図、（Ｂ）は加工状況に応じたアイコンとカーソルとの関係を示す拡大説明図である。
【図２８】カーソルの表示位置の変形例を示す液晶表示器の正面図である。
【図２９】アイコンの表示位置の変形例を示す液晶表示器の正面図である。
【図３０】エラー表示の変形例を示す液晶表示器の正面図である。
【図３１】レンズタイプに応じた数値表示例を示す説明図である。
【図３２】初期設定項目での数値表示例を示す説明図である。
【図３３】フレーム選択時に応じた数値表示例を示す説明図である。
【図３４】レイアウト設定時の初期画面表示状態を示す液晶表示器の正面図である。
【図３５】レンズ枠形状測定装置からの測定データ受信後の画面表示状態を示す液晶表示器の正面図である。
【図３６】測定データ受信後の数値設定・変更状態の画面表示状態を示す液晶表示器の正面図である。
【図３７】フレーム片眼データを受信した場合の画面表示状態を示す液晶表示器の正面図である。
【図３８】型板或いは玉型モデル等に基づく玉型形状データを受信した場合の画面表示状態を示す液晶表示器の正面図である。
【図３９】レンズタイプにバイフォーカルレンズを選択した場合の画面表示状態を示す液晶表示器の正面図である。
【図４０】コースに枠替えコースを選択した場合の画面表示状態を示す液晶表示器の正面図である。
【図４１】コバ厚測定中の画面表示状態を示す液晶表示器の正面図である。
【図４２】コバ厚測定中の他の画面表示状態を示す液晶表示器の正面図である。
【図４３】コバ厚測定中のさらに他の画面表示状態を示す液晶表示器の正面図である。
【図４４】コバ厚測定後の画面表示状態を示す液晶表示器の正面図である。
【図４５】コバ厚測定後の画面表示状態の変形例１を示す液晶表示器の正面図である。
【図４６】コバ厚測定後の画面表示状態の変形例２を示す液晶表示器の正面図である。
【図４７】コバ厚測定後の画面表示状態の変形例３を示す液晶表示器の正面図である。
【図４８】片眼加工終了時の画面表示状態を示す液晶表示器の正面図である。
【図４９】反対側のレンズ加工時の画面表示状態を示す液晶表示器の正面図である。
【図５０】反対側のレンズ加工時の画面表示状態の変形例１を示す液晶表示器の正面図である。
【図５１】反対側のレンズ加工時の画面表示状態の変形例２を示す液晶表示器の正面図である。
【図５２】反対側のレンズ加工時の画面表示状態の変形例３を示す液晶表示器の正面図である。
【図５３】加工済み時の画面表示状態を示す液晶表示器の正面図である。
【図５４】エラー内容例１の画面表示状態を示す液晶表示器の正面図である。
【図５５】エラー内容例２の画面表示状態を示す液晶表示器の正面図である。
【図５６】エラー内容例３の画面表示状態を示す液晶表示器の正面図である。
【図５７】エラー解除後の画面表示状態を示す液晶表示器の正面図である。
【図５８】データ保存初期の画面表示状態を示す液晶表示器の正面図である。
【図５９】データ保存番号設定時の画面表示状態を示す液晶表示器の正面図である。
【図６０】データ保存番号設定時の画面表示状態の他の例を示す液晶表示器の正面図である。
【図６１】データ保存設定時の画面表示状態の他の例を示す液晶表示器の正面図である。
【図６２】（ａ）はメッセージ内容の一例を示す説明図、（ｂ）は（ａ）のメッセージ内容の一部の正しい例を示す説明図、（ｃ）はメッセージ内容の特殊用語の一例を示す説明図である。
【図６３】（Ａ）〜（Ｇ）は、溝掘り加工及び面取加工の場合のアイコン及びカーソルの表示例を時系列で示した説明図である。
【図６４】（Ａ），（Ｂ）は、試し摺りの場合のアイコン及びカーソルの表示例を時系列で示した説明図である。
【図６５】（Ａ）〜（Ｆ）は、加工追加再仕上げの場合のアイコン及びカーソルの表示例を時系列で示した説明図である。
【図６６】（Ａ）〜（Ｄ）は、ヤゲン溝掘り加工からヤゲン加工に変更した場合のアイコン及びカーソルの表示例を時系列で示した説明図である。
【図６７】レンズ研削加工装置の制御回路の一例の説明図である。
【図６８】レンズ研削加工装置の制御回路の他例を示す説明図である。
【図６９】制御回路の制御を説明するためのタイムチャートである。
【符号の説明】
２・・・レンズ研削加工装置
ＭＬ・・・眼鏡レンズ
３３・・・設定データメモリ（メッセージ記憶部）
８・・・液晶表示器（メッセージ表示手段）
３１・・・第１の演算制御回路（演算処理手段）
１０１・・・表示装置
１００・・・端末装置
３０・・・制御回路
１０３・・・インターネット（通信回線手段）
【図１】
2004164179.tif 000003
【図２】
2004164179.tif 000004
【図３】
2004164179.tif 000005
【図４】
2004164179.tif 000006
【図５】
2004164179.tif 000007
【図６】
2004164179.tif 000008
【図７】
2004164179.tif 000009
【図８】
2004164179.tif 000010
【図９】
2004164179.tif 000011
【図１０】
2004164179.tif 000012
【図１１】
2004164179.tif 000013
【図１２】
2004164179.tif 000014
【図１３】
2004164179.tif 000015
【図１４】
2004164179.tif 000016
【図１５】
2004164179.tif 000017
【図１６】
2004164179.tif 000018
【図１７】
2004164179.tif 000019
【図１８】
2004164179.tif 000020
【図１９】
2004164179.tif 000021
【図２０】
2004164179.tif 000022
【図２１】
2004164179.tif 000023
【図２２】
2004164179.tif 000024
【図２３】
2004164179.tif 000025
【図２４】
2004164179.tif 000026
【図２５】
2004164179.tif 000027
【図２６】
2004164179.tif 000028
【図２７】
2004164179.tif 000029
【図２８】
2004164179.tif 000030
【図２９】
2004164179.tif 000031
【図３０】
2004164179.tif 000032
【図３１】
2004164179.tif 000033
【図３２】
2004164179.tif 000034
【図３３】
2004164179.tif 000035
【図３４】
2004164179.tif 000036
【図３５】
2004164179.tif 000037
【図３６】
2004164179.tif 000038
【図３７】
2004164179.tif 000039
【図３８】
2004164179.tif 000040
【図３９】
2004164179.tif 000041
【図４０】
2004164179.tif 000042
【図４１】
2004164179.tif 000043
【図４２】
2004164179.tif 000044
【図４３】
2004164179.tif 000045
【図４４】
2004164179.tif 000046
【図４５】
2004164179.tif 000047
【図４６】
2004164179.tif 000048
【図４７】
2004164179.tif 000049
【図４８】
2004164179.tif 000050
【図４９】
2004164179.tif 000051
【図５０】
2004164179.tif 000052
【図５１】
2004164179.tif 000053
【図５２】
2004164179.tif 000054
【図５３】
2004164179.tif 000055
【図５４】
2004164179.tif 000056
【図５５】
2004164179.tif 000057
【図５６】
2004164179.tif 000058
【図５７】
2004164179.tif 000059
【図５８】
2004164179.tif 000060
【図５９】
2004164179.tif 000061
【図６０】
2004164179.tif 000062
【図６１】
2004164179.tif 000063
【図６２】
2004164179.tif 000064
【図６３】
2004164179.tif 000065
【図６４】
2004164179.tif 000066
【図６５】
2004164179.tif 000067
【図６６】
2004164179.tif 000068
【図６７】
2004164179.tif 000069
【図６８】
2004164179.tif 000070
【図６９】
2004164179.tif 000071